(57)【要約】  段ボールシート（Ｆ）に横の切り込みを得るための切断ステーション（Ｓ２）は、入り口（ＩＮ）及び出口（ＯＵＴ）を備え、２つの横の端部（Ｂ１、Ｂ２）及び２つの長手方向の端部（ＢＬ）を有する段ボールシート（Ｆ）をその入り口（ＩＮ）で受け入れるように予め配置させ、２つの長手方向の折目線（Ｌ１、Ｌ２）、及び４つの横の折目線（Ｔ１、Ｔ２、Ｔ３、Ｔ４）を含むようなものであり、２つの長手方向の折目線（Ｌ１、Ｌ２）は、段ボールシート（ＳＣ）において、２つの長手方向折目線（Ｌ１、Ｌ２）との間に中央領域（ＳＣ）を、２つの長手方向の折り曲げ線（ＳＬ１、ＳＬ２）の外に２つの側部領域（ＳＬ１、ＳＬ２）を画定する。さらに、切断ステーション（Ｓ２）は：段ボールシート（Ｆ）を静止状態で受け入れ、前進方向（Ｖ）で段ボールシート（Ｆ）を搬送するための入口（ＩＮ）から出口（ＯＵＴ）まで延在するコンベヤ（４）；並びに、コンベヤ（４）の各２つの端部に対して、及び、各側面の近くで、第１の切断グループ（４１）及び第２の切断グループ（４２）を備え、それは、横の折目線（Ｔ１、Ｔ２、Ｔ３、Ｔ４）がある段ボールシート（Ｆ）の各２つの側部領域（ＳＬ１、ＳＬ２）のうち相対する側部領域（ＳＬ１、ＳＬ２）上に横の切り込みを得るために予め配置され構成される。【選択図】図３Ｄ
2019517396.tif 000002
【特許請求の範囲】
【請求項１】
段ボールシート（Ｆ）に横の切り込みを得るための切断ステーション（Ｓ２）であって、入り口（ＩＮ）及び出口（ＯＵＴ）を備え、２つの横の端部（Ｂ１、Ｂ２）及び長手方向の端部（ＢＬ）を有し、第１の横の端部（Ｂ１）から第２の横の端部（Ｂ２）までに２つの長手方向の折目線（Ｌ１、Ｌ２）、及び、長手方向の端部（ＢＬ）から前記他の長手方向の端部（ＢＬ）までに４つの横の折目線（Ｔ１、Ｔ２、Ｔ３、Ｔ４）を備えるような段ボールシート（Ｆ）をその前記入り口（ＩＮ）で受け入れるように予め設けられ、２つの長手方向の折目線（Ｌ１；Ｌ２）は、前記段ボールシート（Ｆ）と共に梱包され包み込まれる物品の底面の長さ（Ｌ）に相当する互いから相互の間隔がある状態で、互いに平行で、前記長手方向の端部（ＢＬ）と平行であり、  前記段ボールシート（Ｆ）において、前記２つの長手方向の折目線（Ｌ１、Ｌ２）との間に、及び、前記２つの長手方向折目線（Ｌ１、Ｌ２）の外の２つの側面領域（ＳＬ１、ＳＬ２）との間に、中央領域（ＳＣ）を画定し、前記４つの横の折目線（Ｔ１、Ｔ２、Ｔ３、Ｔ４）は、互いと平行であり、前記横の端部（Ｂ１、Ｂ２）と平行である、前記段ボールシート（Ｆ）の第１の横の端部（Ｂ１）を起点として：前記段ボールシート（Ｆ）で梱包され包み込まれる前記物品の第１の側部側面の高さ（Ｈ）に相当する前記段ボールシート（Ｆ）の前記第１の横の端部（Ｂ１）から間隔を置いた第１の横の折目線（Ｔ１）；前記物品の前記底面の幅（ｌ）に相当する前記第１の折目線（Ｔ１）からある間隔を置いた第２の横の折目線（Ｔ２）；前記第１の側面と平行及び反対側に、前記物品の第２の側面の高さ（Ｈ）に相当する前記第２の横の折目線（Ｔ２）からある間隔を置いた第３の横の折目線（Ｔ３）；前記包み込まれる物品の前記上面の幅（Ｌ＊）に相当する前記第３の横の折目線（Ｔ３）からある間隔を置いた第４の横の折目線（Ｔ４）；を備え、したがって、中央領域（ＳＣ）で、４つの横の折目線（Ｔ１、Ｔ２、Ｔ３、Ｔ４）によって画定される５つの部分（Ｐ１、Ｐ２、Ｐ３、Ｐ４、Ｐ５）を有する前記切断ステーション（Ｓ２）の前記入り口（ＩＮ）で受け入れる前記段ボールシート（Ｆ）は：前記第１の横の折目線（Ｔ１）と前記第２の横の折目線（Ｔ２）との間の、第１の部分（Ｐ１）；前記段ボールシート（Ｆ）の第１の横の端部（Ｂ１）と前記第１の横の折目線（Ｔ１）との間で、前記第１の部分（Ｐ１）に隣接して、前記第１の横の折目線（Ｔ１）を用いてちょうつがいのように留められる、第２の部分（Ｐ２）；前記第２の横の折目線（Ｔ２）と前記第３の横の折目線（Ｔ３）との間で、前記第１の部分（Ｐ１）に隣接して、前記第２の横の折目線（Ｔ２）を用いて、そこへちょうつがいのように留められる、第３の部分（Ｐ３）；前記第３の横の折目線（Ｔ３）と前記第４の横の折目線（Ｔ４）との間に、前記第３の部分（Ｐ３）に隣接して、前記第３の横の折目線（Ｔ３）を用いて、そこへ蝶番のように留められる、第４の部分（Ｐ４）；及び、前記第４の横の折目線（Ｔ４）と前記段ボールシート（Ｆ）の前記第２の横の端部（Ｂ２）との間の第５の部分（Ｐ５）を備え、 
前記切断ステーション（Ｓ２）は： 
前記入口（ＩＮ）から前記出口（ＯＵＴ）まで延在し、前記第１の横の端部（Ｂ１）と共に、前記段ボールシート（Ｆ）を静止状態で受け入れることが可能であるコンベヤ（４）を備えることを特徴としており、したがって、前記第１の横の折目線（Ｔ１）は、前記コンベヤ（４）の上流側及び横に配置され、前記第２の横の端部（Ｂ２）、したがって、前記第４の横の折目線（Ｔ４）は、前記コンベヤ（４）と平行の前記２つの長手方向の端部（ＢＬ）を伴って、前記コンベヤ（４）の下流側及び横に配置され、前記コンベヤ（４）は、前記段ボールシート（Ｆ）がその少なくとも中央領域（ＳＣ）の一部にかかってその上に配置されるように寸法決めされ、予め配置されており、そして、前記２つの側部領域（ＳＬ１、ＳＬ２）が前記コンベヤ（４）の２つの端部を横に越えて突き出る状態で、前記コンベヤ（４）が、前進方向（Ｖ）で前記入口（ＩＮ）から前記出口（ＯＵＴ）まで前記段ボールシート（Ｆ）を搬送して、運搬するための動作が可能であり；
前記コンベヤ（４）のそれぞれの２つの端部に対して、及び、それぞれの側面にて；
第１の切断グループ（４１）及び第２の切断グループ（４２）を備え、それは、前記段ボールシート（Ｆ）の各２つの前記側部領域（ＳＬ１、ＳＬ２）の相対する側部領域（ＳＬ１、ＳＬ２）上に横の切り込みを得るために、以下において、予め配置されて、構成されており：
前記第１の切断グループ（４１）は、前記コンベヤ（４）の前記前進方向（Ｖ）に対して、前記第２の切断グループ（４２）の下流に配置され；
前記第１の切断グループ（４１）及び前記第２の切断グループ（４２）は、並進が可能なように、同時に、前記コンベヤ（４）と垂直及び横方向（Ｖ１）に選択的に、したがって、両方が前記コンベヤ（４）に接近し又は遠ざかるように、前記コンベヤ（４）から横に突出する前記２つの側部領域（ＳＬ１、ＳＬ２）の実際の位置及び寸法に基づいてその位置を調整することが可能なように、前記コンベヤ（４）の端部の側面の近くに予め配置され；
前記第２の切断グループ（４２）は、前記コンベヤ（４）に対する平行方向（Ｖ２）において交互に、前記第２の切断グループ（４２）が、２つの隣接する横の折目線のと間に実在する実際の相互の間隔に基づいて前記第１の切断グループ（４１）に対してその前記位置及び間隔を調整可能であるように前記第１の切断グループ（４１）に接近可能か又は間隔を置くことが可能かといった方法で、前記第１の切断グループ（４１）に対して並進することが可能であるように予め配置され；
前記コンベヤ（４）は前記前進方向（Ｖ）に段ボールシート（Ｆ）を前進させるために作動可能であり、前記第４の横の折目線（Ｔ４）が、前記第１の切断グループ（４１）の下にある第１の位置（Ｚ１）に前記段ボールシート（Ｆ）を停止させる事が可能であり、前記第２の切断グループ（４２）が前記第１の切断グループ（４１）に対して並進することを可能にするように、前記第３の横の折目線（Ｔ３）と前記第４の横の折目線（Ｔ４）との間に存在する前記実際の間隔に基づいて、その前記位置及びそこからの間隔を調整するために、ゆえに、その結果、前記第２の切断グループ（４２）が、前記第３の横の折目線（Ｔ３）より上に位置付けられるようになり、結果的に、前記第１の切断グループ（４１）が前記第４の横の折目線（Ｔ４）で各２つの側部領域（ＳＬ１、ＳＬ２）の相対する側部領域（ＳＬ１、ＳＬ２）において切り込み（Ｉ４）を得ることを可能にして、前記第２の切断グループ（４２）が、前記第３の横の折目線（Ｔ３）で前記相対する側部領域（ＳＬ１、ＳＬ２）の切り込み（Ｉ３）を得ることを可能にし、さらに、前記第２の横の折目線（Ｔ２）が、前記第１の切断グループ（４１）の下に位置付けられる第２の位置（Ｚ２）に停止させるまで、前記前進方向（Ｖ）に前記段ボールシート（Ｆ）をさらに進ませる動作が可能であるという点で、前記第２の切断グループ（４２）が前記第１の切断グループ（４１）に対して並進することを可能にするように、前記第１の横の折目線（Ｔ１）と前記第２の横の折目線（Ｔ２）との間に存在する前記実際の間隔に基づいて、その前記位置及びそこから間隔を調整するため、ゆえに、その結果、前記第２の切断グループ（４２）が前記第１の横の折目線（Ｔ１）より上に位置付けられるようになり、結果的に、前記第１の切断グループ（４１）が前記第２の横の折目線（Ｔ２）で前記相対する側部領域（ＳＬ１、ＳＬ２）に切り込み（Ｉ２）を得ることを可能にして、前記第２の切断グループ（４２）が前記第１の横の折目線（Ｔ１）で前記相対する側部領域（ＳＬ１、ＳＬ２）に切り込み（Ｉ１）を得ることを可能にする切断ステーション（Ｓ２）。
【請求項２】
前記コンベヤ（４）と平行に配置され、順に作動可能な軸（４０）を含む前記第１の切断グループ（４１）及び前記第２の切断グループ（４２）の作動手段（４００）を備え、前記第１の切断グループ（４１）は、互いに１８０°の状態であり、前記コンベヤ（４）に対して垂直かつ横に配置されるような方法で、前記軸（４０）に取り付けられる一対の切り込み用刃（４１１、４１２）を備え、次に、前記第２の切断グループ（４２）は、互いに１８０°の状態で前記軸（４０）に取り付けられ、また、前記コンベヤ（４）に対して垂直かつ横に配置される一対の切り込み用刃（４２１、４２２）を備えることを特徴とする、請求項１に記載の切断ステーション。
【請求項３】
前記第１の切断グループ（４１）の前記一対の刃（４１１、４１２）及び前記第２の切断グループ（４２）の前記一対の刃（４２１、４２２）が、前記軸（４０）に対して同じ角度方向を有するように、前記共通軸（４０）に取り付けられることを特徴とする、請求項２に記載の切断ステーション。
【請求項４】
第１のフレーム（４５）及び第２のフレーム（４６）、前記第１のフレーム（４５）によって支えられている第１の切断グループ（４１）及び前記第２のフレーム（４６）によって支えられている第２の切断グループ（４２）；前記コンベヤ（４）に対して横及び垂直となるように配置される第１の摺動ガイド（４５０）、並びに、前記第１の摺動ガイド（４５０）と平行して配置される第２の摺動ガイド（４６０）を備え、したがって、前記コンベヤ（４）と横に及び垂直に、前記第１のフレーム（４５）が、前記第１の摺動ガイド（４５０）に摺動可能に取り付けられ、前記第２のフレーム（４６）が、前記第２の摺動ガイド（４６０）に摺動可能に取り付けられることを特徴とする、請求項３に記載の切断ステーション。
【請求項５】
前記第１のフレーム（４５）が、前記第１の摺動ガイド（４５０）に摺動可能に連結される第１の可動部（４５１）に取り付けられ、前記第２のフレーム（４６）は、前記第２の摺動ガイド（４６０）に摺動可能に連結される第２の可動部に取り付けられる、請求項４に記載の切断ステーション。
【請求項６】
前記第１の摺動ガイド（４５０）に対して、前記第１のフレーム（４５）を選択的に並進させるように構成されて、予め設けられる第１の移動手段（４７）を備えて、このように、前記コンベヤ（４）の端から投入する前記段ボールシート（Ｆ）の前記側部領域（ＳＬ１、ＳＬ２）の実際の前記位置及び寸法にその前記位置を調整するために、前記第１の摺動ガイド（４５０）に対する前記第１の切断グループ（４１）、及び、それらを前記コンベヤ（４）に接近させ、又は遠ざけるような方法で、前記第２の摺動ガイド（４６０）に対する前記第２の切断グループを交互に並進させることを特徴とする、請求項４及び５のうちいずれか一項に記載の切断ステーション。
【請求項７】
第前記コンベヤ（４）と平行して、したがって、前記第１の摺動ガイド（４５０）及び前記第２の摺動ガイド（４６０）と横及び垂直に配置される第３の摺動ガイド（４７０）をさらに備え、前記第２の摺動ガイド（４６０）が、前記第３の摺動ガイド（４７０）に連結されて、摺動が可能であるよう予め配置され、したがって、前記第２の切断グループ（４２）が前記第１の切断グループ（４１）に対して並進することを可能にするように前記第３の摺動ガイド（４７０）に対して、並進させられ、前記段ボールシート（Ｆ）の前記側部領域（ＳＬ１、ＳＬ２）に存在する２つの隣接する横の折目線の実際の相互の間隔に基づいて、前記第１の切断グループ（４１）に対してその前記位置及び間隔を調整するように、それを前記第１の切断グループ（４１）に近づけるか又は遠ざけることを特徴とする、請求項４〜６のうちいずれか一項に記載の切断ステーション。
【請求項８】
前記第３の摺動ガイド（４７０）に対して前記第２の摺動ガイド（４６０）を移動して摺動させるために予め設けられる第２の移動手段（４８）を備えることを特徴とする、請求項７に記載の切断ステーション。
【請求項９】
前記第２の摺動ガイド（４６０）の先端部分で予め設けられて、前記第３の摺動ガイド（４７０）に摺動可能に連結される第３の可動部（４７１）を備えることを特徴とする、請求項８に記載の切断ステーション。
【請求項１０】
前記２つの切断グループ（４１、４２）からなる前記作動手段（４００）は、順に前記軸（４０）を作動させるためのモータ（４９）を備えており、その軸（４０）上に、前記各２つの切断グループ（４１、４２）の前記２つの対の刃（４１１、４１２）（４２１、４２２）が取り付けられ、前記モータ（４９）は、前記第１の摺動ガイド（４５０）及び前記第２の摺動ガイド（４６０）と平行に、したがって、前記コンベヤ（４）と横及び垂直になるように、予め配置される第４の摺動ガイド（４９２）に摺動可能に取り付けられる第４の可動部（４９１）によって支えられる、相対するフレーム（４９０）に取り付けられることを特徴とする、請求項４〜９のうちいずれか一項に記載の切断ステーション。
【請求項１１】
前記第１の移動手段（４７）は、相対する滑車にループ状に巻いているベルト（４７５）を備え、その少なくとも前記ベルト（４７５）を作動させるための駆動滑車（４７６）は、前記第１の切断グループ（４１）を支えている前記第１のフレーム（４５）が、前記ベルト（４７５）の分岐部にクランプ（４７７）よって拘束されるので、前記ベルト（４７５）が前記コンベヤ（４）と横に及び垂直に、すなわち、前記コンベヤ（４）の前記前進方向（Ｖ）に配置されるように、前記滑車が配置されることを特徴とする、請求項６〜１０のうちいずれか一項に記載の切断ステーション。
【請求項１２】
相対する滑車にループ状に巻かれたベルト（４８１）と、前記ベルト（４８１）がコンベヤ（４）の下に及びそこと平行に、すなわち、前記前進方向（Ｖ）に配置されるように、前記滑車が配置される、少なくともその駆動滑車（４８２）と、前記ベルト（４８１）の分岐部；前記プレート（４８２）に固定する支柱（４８３）；及び前記支柱（４８３）に予め配置されて、前記第２の摺動ガイド（４６０）より下方に拘束され固定されるブラケット（４８４）に拘束されるプレート（４８２）とを含む、前記第２の移動手段（４８）を備えることを特徴とする、請求項８〜１１のうちいずれか一項に記載の切断ステーション。
【請求項１３】
前記コンベヤ（４）の両側にある前記各２つの切断グループ（４１、４２）に対して、前記２つの切断グループ（４１、４２）の前記切り込み用刃（４１１、４１２、４２１、４２２）が通過する溝を有し、前記コンベヤ（４）にある前記段ボールシート（Ｆ）の相対する側部領域（ＳＬ１、ＳＬ２）の下に直ちに存在するように配置される、刃のカウンタブロック（４９）を備えることを特徴とする、請求項２〜１２のうちいずれか一項に記載の切断ステーション。
【請求項１４】
段ボールシート（Ｆ）から得られる段ボール箱の内部に物品を包み込むための機械（１００）であって：
段ボールの連続ストリップ（Ｓ）が、ファンフォールド（ＳＦ）を形成するために、それ自体の上に予め配置され、折りたたまれる貯蔵部（Ｍ）と；
前記段ボールの連続ストリップ（Ｓ）からなる段ボールシート（Ｆ）の区分化ステーション（Ｓ１）であって、区分化ステーション（Ｓ１）が、前記貯蔵部（Ｍ）の下流側にあり：前記ファンフォールド（Ｆ）から解かれた前記段ボールの連続ストリップ（Ｓ）を静止状態で受け入れることができるように予め配置される、コンベア水平面（１）と、前記段ボールの連続ストリップ（Ｓ）を前記コンベア水平面（１）に沿って前進方向（ｗ）に進ませて、その切断を可能にするために前記段ボールの連続ストリップ（Ｓ）を停止させるための、搬送手段（２）と、前記段ボールの連続ストリップ（Ｓ）から段ボールシート（Ｆ）を分割し、同時に横の折目線（Ｔ４）を得えるために、前記コンベア水平面（１）より上に予め配置され、前記段ボールの連続ストリップ（Ｓ）上の切り口と平行した、分割群（３）とを備える区分化ステーション（Ｓ１）と；
折目線形成ステーション（Ｓ１＊）であって、前記区分化ステーション（Ｓ１）の下流側に、前記区分化ステーション（Ｓ１）から来る、前記切断した段ボールシート（Ｆ）が供給され、前記前進方向に進行させる：前記段ボールシート（Ｆ）における、中央領域（ＳＣ）及び２つの側部領域（ＳＬ１、ＳＬ２）を特定するために、梱包される前記物品の前記底面の長さ（Ｌ）に相当する間隔まで互いから遠ざかっている、前記前進方向と平行し、前記段ボールシート（Ｆ）の前記長手方向の端部（ＢＬ）と平行する２つの長手方向の折目線（Ｌ１、Ｌ２）を、前記段ボールシート（Ｆ）上で得るために予め配置した第１の折目線形成手段（５１）を備える折目線形成ステーション（Ｓ１＊）と；
互いと平行した３つの横の折目線（Ｔ１、Ｔ２、Ｔ３）を得るために、予め配置される第２の折目線形成手段（５２）であって、すでに得られた前記横の折目線（Ｔ４）と平行し、前記中央領域（ＳＣ）において、第４の折目線（Ｔ４）と共に、前記区分化ステーション（Ｓ１）にてすでに得られた前記折目線（Ｔ４）により構成された、５つの部分（Ｐ１、Ｐ２、Ｐ３、Ｐ４、Ｐ５）を特定するように間隔が置かれ：第１の部分（Ｐ１）は、前記第１の横の折目線（Ｔ１）と前記第２の横の折目線（Ｔ２）との間に、前記包み込まれる物品の前記底面に相当する寸法を有し；第２の部分（Ｐ２）は、前記段ボールシート（Ｆ）の前記第１の横の端部（Ｂ１）と前記第１の横の折目線（Ｔ１）との間に、前記物品の第１の側面に相当する寸法を有し；第３の部分（Ｐ３）は、前記第１の側面の反対側に、前記第１の部分（Ｐ１）に隣接して、前記第２の横の折目線（Ｔ２）と前記第３の横の折目線（Ｔ３）との間に、前記物品の第２の側面に相当する寸法を有し；第４の部分（Ｐ４）は、前記第３の横の折目線（Ｔ３）と前記第４の横の折目線（Ｔ４）との間に、前記物品の前記上面に相当する寸法を有し；第５の部分（Ｐ５）は、前記第４の横の折目線（Ｔ４）と前記段ボールシート（Ｆ）の前記第２の横の端部（Ｂ２）との間に、前記段ボールシート材の細片によって構成される、第２の折目線形成手段（５２）と；
前記２つの側部領域（ＳＬ１、ＳＬ２）の段ボールシートの前記一部において、前記第１の部分（Ｐ１）の側面にある、前記第１の部分（Ｐ１）と同じ幅の拡張部を有する、前記２つの長手方向の折目線（Ｌ１、Ｌ２）と平行する対の長手方向の折り曲げ線（ａ、ｂ）、（ｃ、ｄ）を得るように予め配置される第３の折目線形成手段（５３）と、
切断ステーション（Ｓ２）であって、前記折目線形成ステーション（Ｓ１＊）の下流側に、請求項１〜１３のうちいずれか一項により得られた、段ボールシート（Ｆ）が、前記中央領域（ＳＣ）の前記２つの長手方向の折目線（Ｌ１、Ｌ２）及び前記４つの横の折目線（Ｔ１、Ｔ２、Ｔ３、Ｔ４）並びに前記２つの側部領域（ＳＬ１、ＳＬ２）の前記対の折り曲げ線（ａ、ｂ）、（ｃ、ｄ）を備えて前記前進方向に供給され：前記第２の部分（Ｐ２）の２つの末端部にある、第１の補強フラップ（Ｒ１）及び第２の補強フラップ（Ｒ２）；前記第１の部分（Ｐ１）の２つの末端部にある、前記折り曲げ線（ａ）と前記第１の長手方向の折目線（Ｌ１）との間の第１の折り曲げタブ（ａ１）、及び、前記折り曲げ線（ｂ）と前記第１の包囲フラップ（Ａ１）の前記端部との間の第２の折り曲げタブ（ａ２）を特定する前記第１の一対の長手方向の折り曲げ線（ａ、ｂ）を含む、第１の側部包囲フラップ（Ａ１）、並びに、前記折り曲げ線（ｃ）と前記第２の長手方向の折目線（Ｌ２）との間の第３の折り曲げタブ（ａ３）、及び、前記折り曲げ線（ｄ）と前記第２の包囲フラップ（Ａ２）の前記端部との間の第４の折り曲げタブ（ａ４）を特定する前記第２の一対の長手方向の折り曲げ線（ｃ、ｄ）を含む、第２の側部包囲フラップ（Ａ２）；前記第３の部分（Ｐ３）の前記２つの末端部にある、第３の補強フラップ（Ｒ３）及び第４の補強フラップ（Ｒ４）；前記第４の部分（Ｐ４）の前記２つの末端部にある、第５の補強フラップ（Ｒ５）及び第６の補強フラップ（Ｒ６）；並びに、前記切断ステーション（Ｓ２）の前記出口で、物品を包み込むための段ボールブランク（Ｃ）を提供するように、前記第４の横の折目線（Ｔ４）と前記第２の横の端部（Ｂ２）との間で、前記段ボール箱を閉じるために形成するタブ（ＡＣ）を得るように、前記４つの横の折目線（Ｔ１、Ｔ２、Ｔ３、Ｔ４）で、前記段ボールシート（Ｆ）の前記各２つの側部領域（ＳＬ１、ＳＬ２）に対する４つの横の切り込み（Ｉ１、Ｉ２、Ｉ３、Ｉ４）を実行するため切断ステーション（Ｓ２）と；
第１の折り曲げステーション（Ｓ３）であって、前記切断ステーション（Ｓ２）の下流側で、前記段ボールブランク（Ｃ）が前記前進方向に供給されて、前記段ボールブランク（Ｃ）が停止し：前記第１（Ｌ１）及び前記第２（Ｌ２）の長手方向の折目線に対して、前記中央領域（ＳＣ）の前記第２の部分（Ｐ２）上に、第１の側部閉鎖壁（Ｃ１）を得るための、前記第１（Ｒ１）及び第２（Ｒ２）の補強フラップ；前記第１（Ｌ１）及び前記第２（Ｌ２）の長手方向の折目線に対して、前記中央領域（ＳＣ）の前記第３の部分（Ｐ３）上に、第２の側部閉鎖壁（Ｃ２）を得るための、前記第３（Ｒ３）及び第４（Ｒ４）の補強フラップ；前記第１（Ｌ１）及び前記第２（Ｌ２）の長手方向の折目線に対して、前記中央領域（ＳＣ）の前記第４の部分（Ｐ４）上に、上部閉鎖壁（ＰＳ）を得るための、前記第５（Ｒ５）及び第６（Ｒ６）の補強フラップ；前記第１の長手方向の折目線（Ｌ１）に対して、前記中央領域（ＳＣ）の前記第１の部分（Ｐ１）の一部を重ね合わせて、補強した端部を形成し、第３の側部閉鎖壁（Ｃ３）を画定するための、前記第１の側部包囲フラップ（Ａ１）の前記第１の折り曲げタブ（ａ１）、並びに、前記第２の長手方向の折目線（Ｌ２）に対して、前記中央領域（ＳＣ）の前記第１の部分（Ｐ１）の一部を重ね合わせて、補強した端部を形成し、第４の側部閉鎖壁（Ｃ４）を画定するための、前記第２の側部包囲フラップ（Ａ２）の前記第３の折り曲げタブ（ａ３）を同時に折り曲げるための第１の折り曲げ手段（６３）を備える第１の折り曲げステーション（Ｓ３）と、
包み込まれる物品の供給ステーション（Ｓ３＊）であって、前記第１の折り曲げステーション（Ｓ３）から来る前記段ボールブランク（Ｃ）が供給されて、第１の側面が、前記第１の側部閉鎖壁（Ｃ１）の方へ向き、第２の側面が、前記第１の反対側に、前記第２の側部閉鎖壁（Ｃ２）の方へ向き、第３の側面が、前記第１の２つに対して横に、前記第３の側部閉鎖壁（Ｃ３）の方へ向き、第４の側面が、前記第３の反対側に、前記第４の側部閉鎖壁（Ｃ４）の方へ向いた状態で、包み込まれる物品が配置されて、前記段ボールブランク（Ｃ）の前記第１の部分（Ｐ１）に置かれる供給ステーション（Ｓ３＊）と；
前記第１の部分（Ｐ１）の上に物品を載せた段ボールブランク（Ｃ）が供給されて、前記前進方向に進行する第２の折り曲げステーション（Ｓ４）であって：前記第１の折り曲げタブ（ａ１）と区別する折り曲げ線（ａ）に対して、前記物品の前記第３の側面が覆われるときまで、前記第３の側部閉鎖壁（Ｃ３）を折り曲げ、そして、前記第２の折り曲げタブ（ａ２）を回転させるために、前記第３の側部閉鎖壁（Ｃ３）と区別する前記折り曲げ線（ｂ）に対して、前記物品の前記上面の一部の上に重ね合わせるまで、前記第２の折り曲げタブ（ａ２）を折り曲げる、前記第３の側部閉鎖壁（Ｃ３）を回転させるための第２の折り曲げ手段（７１）；前記第３の折り曲げタブ（ａ３）と区別する前記折り曲げ線（ｃ）に対して、前記物品の前記第４の側面が覆われるときまで、前記第４の側部閉鎖壁（Ｃ４）を折り曲げ、そして、前記第４の折り曲げタブ（ａ４）を回転させるために、前記第４の側部閉鎖壁（Ｃ４）と区別する前記折り曲げ線（ｄ）に対して、前記物品の前記上面の一部の上に重ね合わせるまで、第４の折り曲げタブ（ａ４）を折り曲げるような、前記第４の側部閉鎖壁（Ｃ４）を回転させるための第３の折り曲げ手段（７２）；前記物品の前記上面の上に折り曲げられた前記第２（ａ２）及び第４（ａ４）の折り曲げタブに接着剤を塗布するために予め配置された接着剤塗布手段（７３）；一旦、前記接着剤塗布手段（７３）が前記接着剤を塗布すると、前記段ボールブランク（Ｃ）を妨げて、停止させるための、抑止手段（７４）；前記第２の横の折目線（Ｔ２）に対して、前記物品の前記第２の側面が覆われるときまで、前記物品を載せた前記第１の部分（Ｐ１）に対してそれを折り曲げるような、前記第２の側部閉鎖壁（Ｃ２）を回転させるための第４の折り曲げ手段（７５）、並びに、連続して、前記第３の横の折目線（Ｔ３）に対して前記上部閉鎖壁（ＰＳ）を、前記物品の前記上面が覆われるときまで、前記第２の側部閉鎖壁（Ｃ２）に対してそれを折り曲げるように回転させるための第５の折り曲げ手段（７６）を備え、したがって、前記第２の折り曲げステーション（Ｓ４）の出口で、その内部に梱包された前記物品を備えて部分的に閉じた段ボール箱（ＳＣＡ）を提供する第２の折り曲げステーション（Ｓ４）と；
最終閉鎖ステーション（Ｓ５）であって、前記第２の折り曲げステーション（Ｓ４）の下流側にあり、部分的に閉じた前記段ボール箱（ＳＣＡ）が供給され：前記段ボール箱（ＳＣＡ）を停止させるために作動可能な停止手段（８）；前記第１の横の折目線（Ｔ１）に対して、前記物品を載せた第１の部分（Ｐ１）に対してそれを折り曲げて、その結果、前記物品の前記第１の側面が覆われるような、一旦前記ボックス（ＳＣＡ）が停止すると作動して、前記第１の側部閉鎖壁（Ｃ１）を回転させるために予め配置した第６の折り曲げ手段（８１）；前記第６の折り曲げ手段（８１）に機能的に付随し、前記物品の前記第１の側面と反対の前記第６の折り曲げ手段（８１）によって折り曲げられると共に、前記第１の側部閉鎖壁（Ｃ１）の一部に接着剤を塗布するために予め配置される、接着剤塗布器（８２）；及び、前記第４の横の折目線（Ｔ４）に対して、そして、前記接着剤が塗布された前記第１の側部閉鎖壁（Ｃ１）の上部と反対の前記上部壁（ＰＳ）に対して前記閉鎖タブ（ＡＣ）を折り曲げるために、それに接着させ、その内部に包み込まれる前記物品を備える前記段ボール箱（ＳＣＡ）の閉鎖を完了するための、前記閉鎖タブ（ＡＣ）を回転させるために作動可能な第７の折り曲げ手段（８３）を備え、前記最終閉鎖ステーション（Ｓ５）の前記出口で、その内部に包み込まれた前記物品を備えて完全に閉じた段ボール箱（ＳＣＡ）を提供するための最終閉鎖ステーション（Ｓ５）とを備えることを特徴とする機械（１００）。
【発明の詳細な説明】
【技術分野】
【０００１】
本発明は、段ボール箱の内部に物品を梱包及び包み込むことについての特定の技術的分野に関するものである。
【０００２】
特に本発明は、段ボールシートに横の切り込みを作るための切断ステーション、及び段ボールシートから得られる段ボール箱の内部に物品を包む機械に関するものである。
【背景技術】
【０００３】
ロジスティクス及び商品発送の分野では、相対する段ボール箱において、それらを防護及び保護する目的で、発送される商品を包装し梱包する必要性は周知のことである。
【０００４】
出願人は、衝撃を防ぐための特別な防護及び抵抗を与えるように、その内部に物品を包装して梱包するための補強された壁を有する段ボール箱を形成するために使用可能な、物品を梱包するための特別な段ボール箱を得ており、出願人はまた、包まれる物品の有効寸法、相対する段ボールブランク、及び物品をボックスの内部に梱包するように物品のまわりを包み込むことを基礎として、段ボールシートから、獲得して得るための特別な動作手順を構成した。
【０００５】
出願人は、物品の梱包に利用可能な梱包のための段ボールブランクの特別な形状が記載されている２０１５年５月１３日出願のイタリア国特許出願第１０２０１５００００１４９０２号（特許文献１）の特許権者である。
【０００６】
本特許出願によって開示され、図１に示めされた包み込むための段ボールブランク（Ｃ）は、例えば波状の段ボールシートから得られ、それは、段ボールの連続ストリップから切断され、そして、図示する段ボールブランクの特別な形状を獲得するために刻み目付け及び切り込み作業にかけられる。
【０００７】
図１に示す段ボールブランクが折りたたまれることが可能と考えられる一連の動作が、その内部に関連する物品を備えて梱包ボックスを得るように、図１Ａ〜１Ｆの順序で例示されており、出願人に帰属する上述の特許出願にも記載されている。
【０００８】
段ボールブランク（Ｃ）は、四角形の形状を有し、例えば、２つの横の端部（Ｂ１、Ｂ２）及び２つの長手方向の端部（ＢＬ）を備えた正方形又は好ましくは矩形であってもよく、第１の横の端部（Ｂ１）及び第２の横の端部（Ｂ２）で、互いと平行の２つの長手方向の折り曲げ線（Ｌ１、Ｌ２）を備え：２つの長手方向の折目線（Ｌ１、Ｌ２）は、段ボールシートの中央領域（ＳＣ）及び２つの側部領域（ＳＬ１、ＳＬ２）を区別する。
【０００９】
通常、包装され発送される物品は、いずれも、四角形又は矩形の底面を備えた平行六面体の形状を有する入れ物に予め設けられる。
【００１０】
２つの長手方向の折目線（Ｌ１、Ｌ２）は、包み込まれる物品の底面の有効寸法を基準として、例えば物品の底面の長さを基準として互いから遠ざかり、段ボールブランク（Ｃ）上に得られる。
【００１１】
さらに、段ボールブランク（Ｃ）は、互いと平行な、並びに、段ボールブランク（Ｃ）の中央領域（ＳＣ）上で、及び、２つの横の端部（Ｂ１、Ｂ２）との間で、５つの部分（Ｐ１、Ｐ２、Ｐ３、Ｐ４、Ｐ５）を特定するような、４つの横の折目線（Ｔ１、Ｔ２、Ｔ３、Ｔ４）を備える。
【００１２】
４つ横の折目線（Ｔ１、Ｔ２、Ｔ３、Ｔ４））は、特に、物品の底面の幅、物品の上面の幅（Ｌ＊）、及び物品の側面の高さ（Ｈ）に基づいて、包み込まれる物品の有効寸法に応じて互いから間隔を置くように作られる。
【００１３】
詳細には、段ボールブランク（Ｃ）の第１の横の端部（Ｂ１）を始めとして： 
−第１の横の折目線（Ｔ１）及び第２の横の折目線（Ｔ２）が、包み込まれる物品の底面の幅（ｌ）に相当する間隔（ｌ）によって互いから間隔を置いているように得られ；このようにして、段ボールブランク（Ｃ）の中央領域（ＳＣ）で、第１の部分（Ｐ１）が、包み込まれる物品の底面に相当する寸法を有することが特定されて、その第１の部分（Ｐ１）上で、梱包作業の間、物品を載せることができる；
第１の横の折目線（Ｔ１）は、物品の第１の側部側面の高さ（Ｈ）に相当するように段ボールブランク（Ｃ）の第１の横の端部（Ｂ１）からある間隔を置いて得られ、このようにして、段ボール箱（Ｃ）の中央領域（ＳＣ）で、第２の部分（Ｐ２）は、包み込まれる物品の第１の側部側面に相当する寸法をもった、第１の横の端部（Ｂ１）と第１の部分（Ｐ１）との間で特定されて、梱包作業の間、一旦第１の横の折目線（Ｔ１）のまわりを折り曲げられると、物品の第１の側面を覆うこととなる；
第３の横の折目線（Ｔ３）は、第１の側面と平行及び反対側に、物品の第２の側面の高さ（Ｈ）に相当する間隔によって第２の横の折目線（Ｔ２）から間隔を置くように得られ；このようにして、段ボールブランク（Ｃ）の中央領域（ＳＣ）で、第３の部分（Ｐ３）は、第１の部分（Ｐ１）に隣接して、及び、第２の部分（Ｐ２）と反対側に画定され、包み込まれる物品の第２の側部側面に相当する寸法を有し、梱包作業の間、一旦第２の横の折目線（Ｔ２）のまわりで折り曲げられると、第２の側面を覆うこととなる；
第４の横の折目線（Ｔ４）は、包み込まれる物品の上面の幅（Ｌ＊）に相当する間隔によって第３の横の折目線（Ｔ３）から間隔を置くように得られ、このようにして、段ボールブランク（Ｃ）の中央領域（ＳＣ）で、第４の部分（Ｐ４）は、第３の部分（Ｐ３）に隣接して画定され、包み込まれる物品の上面に相当する寸法を有し、物品の第２の側面を覆うために、一旦第３の部分（Ｐ３）が第２の横の折目線（Ｔ２）のまわりで折り曲げられると、上部の側面を覆うこととなり、第４の部分（Ｐ４）が、第３の横の折目線（Ｔ３）のまわりで折り曲げられる。
【００１４】
さらに、段ボールブランク（Ｃ）は、再び中央領域（ＳＣ）で、第４の部分（Ｐ４）に隣接して、第４の横の折目線（Ｔ４）によって、そこへちょうつがいのように留める第５の部分（Ｐ５）を備え、それは段ボールブランク（Ｃ）の第２の部分（Ｐ２）に接着されることとなる開閉タブ（ＡＣ）を構成し、一旦第２の部分（Ｐ２）が物品の第１の側面を包囲するために折り曲げられると、第３（Ｐ３）及び第４の部分（Ｐ４）は、物品の第２の側面及び物品の上面を取り囲むために、それぞれ折り曲げられる。
【００１５】
さらに、段ボールブランク（Ｃ）は、各２つの側部領域（ＳＬ１、ＳＬ２）に対して、段ボールブランク（Ｃ）の長手方向の端部（ＢＬ）から２つの長手方向の折目線（Ｌ１、Ｌ２）に到達するまで延在し、４つの横の折目線（Ｔ１、Ｔ２、Ｔ３、Ｔ４）で作られる４つの横の切り込み（Ｉ１、Ｉ２、Ｉ３、Ｉ４）を備える。
【００１６】
このようにして、段ボールブランクの２つの側部領域（ＳＬ１、ＳＬ２）において、段ボールブランク（Ｃ）は：
段ボールブランク（Ｃ）の第１の横の端部（Ｂ１）と第１の横の折目線（Ｔ１）で作られる横の切り込み（Ｉ１）との間に：第２の部分（Ｐ２）の第１の末端部で、第１の長手方向折目線（Ｌ１）のあたりで第２の部分（Ｐ２）上に折り曲げ可能である第１の補強フラップ（Ｒ１）、−及び第２の部分（Ｐ２）の第２の末端部で、第１の補強フラップ（Ｒ１）に少なくとも部分的に重ね合わせるように第２の長手方向折目線（Ｌ２）のあたりで第２の部分（Ｐ２）上に折り曲げ可能である第２の補強フラップ（Ｒ２）を備え：その上に折り曲げられ、少なくとも部分的に重ね合わせられる第１（Ｒ１）及び第２の補強フラップ（Ｒ２）備える第２の部分（Ｐ２）は、覆い込まれる物品の第１の側部側面を覆うための第１の横の折目線（Ｔ１）のまわりで折り曲げ可能である第１の側部閉鎖壁（Ｃ１）を構成し（図１Ａ、１Ｂを参照）；
第２の横の折目線（Ｔ２）で作られる横の切り込み（Ｉ２）と第３の横の折目線（Ｔ３）で作られる横の切り込み（Ｉ３）との間で：第３の部分（Ｐ３）の第１の末端部で、第１の長手方向折目線（Ｌ１）のまわりで第３の部分（Ｐ３）上に折り曲げ可能な第３の補強フラップ（Ｒ３）、及び第３の部分（Ｐ３）の第２の末端部で、第３の補強フラップ（Ｒ３）に少なくとも部分的に重ね合わせるように第２の長手方向折目線（Ｌ２）のまわりで第３の部分（Ｐ３）上に折り曲げ可能な第４の補強フラップ（Ｒ４）を備え：その上に折り重なり少なくとも部分的に重ね合わせた第３（Ｒ３）及び第４の（Ｒ４）の補強フラップを備える第３の部分（Ｐ３）は、第２の側部側面を覆うために、第２の横の折目線（Ｔ２）のまわりで折り曲げ可能な第２の側部閉鎖壁（Ｃ２）を構成し（図１Ｂ、１Ｃを参照）；
第１の横の折目線（Ｔ１）で作られる第１の横の切り込み（Ｉ１）と第２の横の折目線（Ｔ２）で作られる横の切り込み（Ｉ２）との間で、包み込まれる物品の第３の側部側面を覆って取り囲むために、第１の長手方向折目線（Ｌ１）のまわりで折り曲げ可能な第１の部分（Ｐ１）の第１の末端部にある第１の側部包囲フラップ（Ａ１）、及び、第３の側面の反対側で、包み込まれる物品の第４の側面を覆って取り囲むために第２の長手方向の折目線（Ｌ２）のまわりで折り曲げ可能な第１の部分（Ｐ１）の第２の末端部にある第２の側部包囲フラップ（Ａ２）を備え（図１Ａ、１Ｂを参照）；
第３の横の折目線（Ｔ３）で作られる第２の横の切り込み（Ｉ３）と第４の横の折目線（Ｔ４）で作られる横の切り込み（Ｉ４）との間で、第１の長手方向の折目線（Ｌ１）のまわりで第４の部分（Ｐ４）上に折り曲げ可能な、第４の部分（Ｐ４）の第１の末端部にある第５の補強フラップ（Ｒ５）、及び第５の補強フラップ（Ｒ５）に少なくとも部分的に重ね合わせるように第２の長手方向の折目線（Ｌ２）のまわりで第４の部分（Ｐ４）上に折り曲げ可能な第４の部分（Ｐ４）の第２の末端部にある第６の補強フラップ（Ｒ６）を備え：その上に折り重なって、少なくとも部分的に重ね合わせた第５（Ｒ５）及び第６の（Ｒ６）補強フラップを備える第４の部分（Ｐ４）は、一旦、第２の側部閉鎖壁（Ｃ２）が、第２の側部側面を覆うために第２の横の折目線（Ｔ２）のまわりで折り曲げられると、包み込まれる物品の上部表面を覆うために、第３の横の折目線（Ｔ３）のまわりで折り曲げ可能な上部閉鎖壁（ＰＳ）を構成する（図１Ａ、１Ｆを参照）。
【００１７】
第１の側部包囲フラップ（Ａ１）は、第１のフラップ（Ａ１）上の２つの折り曲げ線（ａ、ｂ）との間に、第３の側部閉鎖壁（Ｃ３）が、包み込まれる物品の第３の側部側面の高さに相当する高さを有して特定され、さらに、第１の折り曲げタブ（ａ１）は、第３の側部閉鎖壁（Ｃ３）と第１の長手方向の折目線（Ｌ１）との間に、及び、第２の折り曲げタブ（ａ２）は、第３の側部閉鎖壁（Ｃ３）と段ボール箱（Ｃ）の長手方向端部（ＢＬ）との間に特定されるように、平行であり、ある間隔を置いて得られる一対の長手方向の折り曲げ線（ａ、ｂ）を備える。
【００１８】
第１の折り曲げタブ（ａ１）は、一旦それが第１の長手方向の折目線（Ｌ１）に対して回転すると、補強した端部を形成するように、第１の部分（Ｐ１）の一部に重ね合わせることになり、その一方で、第２の折り曲げタブ（ａ２）は、一旦第３の側部閉鎖壁（Ｃ３）が、物品の第３の側面を覆うための第１の折り曲げタブ（ａ１）に対して折り曲げられると、表面が上部閉鎖壁（ＰＳ）によって覆われる前に、物品の一部の上面を覆うための第３の側部閉鎖壁（Ｃ３）に対して折り曲げられることになる。
【００１９】
それに応じて、第２の側部包囲フラップ（Ａ２）は、第２のフラップ（Ａ２）上の２つの折り曲げ線（ａ、ｂ）との間に、第４の側部閉鎖壁（Ｃ４）が、第３の側面と反対側に、包み込まれる物品の第４の側部側面の高さに相当する高さを有して特定され、さらに、第３の折り曲げタブ（ａ３）は、第４の側部閉鎖壁（Ｃ４）と第２の長手方向の折目線（Ｌ２）との間に、及び、第４の折り曲げタブ（ａ４）は、第４の側部閉鎖壁（Ｃ４）と段ボール箱（Ｃ）の第２の長手方向の端部（ＢＬ）との間に特定されるように、平行であり、ある間隔を置いて得られる一対の長手方向の折り曲げ線（ｃ、ｄ）を備える。
【００２０】
第３の折り曲げタブ（ａ３）は、一旦それが第２の長手方向の折目線（Ｌ２）に対して回転すると、補強した端部を形成するように、第１の部分（Ｐ１）の一部に重ね合わせることになり、その一方で、第４の折り曲げタブ（ａ４）は、一旦第４の側部閉鎖壁（Ｃ４）が、物品の第４の側面を覆うための第３の折り曲げタブ（ａ３）に対して折り曲げられると、表面が上部閉鎖壁（ＰＳ）によって覆われる前に、物品の一部の上面を覆うための第４の側部閉鎖壁（Ｃ４）に対して折り曲げられることになる（図１Ｃ〜１Ｆを参照）。
【先行技術文献】
【特許文献】
【００２１】
【特許文献１】イタリア国特許出願第１０２０１５００００１４９０２号
【発明の概要】
【発明が解決しようとする課題】
【００２２】
本発明には、２つの長手方向の折目線（Ｌ１、Ｌ２）が存在する段ボールシートにおける上記の４つの横の切り込み、並びに、中央領域（ＳＣ）が段ボールシートにおいて、２つの長手方向折目線（Ｌ１、Ｌ２）との間に、及び、２つの長手方向の折目線（Ｌ１、Ｌ２）の外部の２つの側部領域（ＳＬ１、ＳＬ２）との間に描かれているような４つの横の折目線（Ｔ１、Ｔ２、Ｔ３、Ｔ４）を得るために切断ステーションを提供する目的がある。
【００２３】
特に、本発明には、
第１の横の折目線（Ｔ１）と第２の横の折目線（Ｔ２）との間にある第１の部分（Ｐ１）と；
段ボールシートの第１の横の端部（Ｂ１）と第１の横の折目線（Ｔ１）との間にあり、第１の部分（Ｐ１）に隣接して、第１の横の折目線（Ｔ１）によってちょうつがいのように留められる第２の部分（Ｐ２）と；
第２の横の折目線（Ｔ２）と第３の横の折目線（Ｔ３）との間にあり、第１の部分（Ｐ１）に隣接して、第２の横の折目線（Ｔ２）を用いてそこへちょうつがいのように留められる第３の部分（Ｐ３）と；
第３の横の折目線（Ｔ３）と第４の横の折目線（Ｔ４）との間にあり、第３の部分（Ｐ３）に隣接して、第３の横の折目線（Ｔ３）を用いてそこへちょうつがいのように留められる第４の部分（Ｐ４）と；
第４の横の折目線（Ｔ４）と段ボールシートの第２の横の端部（Ｂ２）との間にある第５の部分（Ｐ５）とを有する段ボールシート（Ｆ）を入口で受け入れる切断ステーション、及び、各２つの側部領域（ＳＬ１、ＳＬ２）に対して、４つの横の折目線（Ｔ１、Ｔ２、Ｔ３、Ｔ４）にある４つの横の切り込み（Ｉ１、Ｉ２、Ｉ３、Ｉ４）を得るような切断ステーションを提供する目的がある。
【００２４】
このようにして、本発明の切断ステーションは、前述で記載され、図１に示すもの、すなわち、２つの側部領域（ＳＬ１、ＳＬ２）で：
段ボールブランク（Ｃ）の第１の横の端部（Ｂ１）と第１の横の折目線（Ｔ１）で作られる横の切り込み（Ｉ１）との間で：第１の長手方向折目線（Ｌ１）のまわりで第２の部分（Ｐ２）上に折り曲げ可能な、第２の部分（Ｐ２）の第１の末端部にある第１の補強フラップ（Ｒ１）、及び、第２の長手方向の折目線（Ｌ２）のまわりで第２の部分（Ｐ２）上に折り曲げ可能な、第２の部分（Ｐ２）の第２の末端部にある第１の補強フラップ（Ｒ１）と；
第２の横の折目線（Ｔ２）で作られる横の切り込み（Ｉ２）と第３の横の折目線（Ｔ３）で作られる横の切り込み（Ｉ３）との間で：第１の長手方向の折目線（Ｌ１）のまわりで第３の部分（Ｐ３）上に折り曲げ可能な第３の部分（Ｐ３）の第１の末端部にある第３の補強フラップ（Ｒ３）、及び、第２の長手方向の折目線（Ｌ２）のまわりで第３の部分（Ｐ３）上に折り曲げ可能な、第３の部分（Ｐ３）の第２の末端部にある第４の補強フラップ（Ｒ４）と；
第１の横の折目線（Ｔ１）で得られる第１の横の切り込み（Ｉ１）と第２の横の折目線（Ｔ２）で得られる横の切り込み（Ｉ２）との間で、包み込まれる物品の第３の側部側面を覆って取り囲むために、第１の長手方向折目線（Ｌ１）のまわりで折り曲げ可能な第１の部分（Ｐ１）の第１の末端部にある第１の側部包囲フラップ（Ａ１）、及び、第３の側面の反対側で、包み込まれる物品の第４の側面を覆って取り囲むために第２の長手方向の折目線（Ｌ２）のまわりで折り曲げ可能な、第１の部分（Ｐ１）の第２の末端部にある第２の側部包囲フラップ（Ａ２）と；
第３の横の折目線（Ｔ３）で作られる第２の横の切り込み（Ｉ３）と第４の横の折目線（Ｔ４）で作られる横の切り込み（Ｉ４）との間で、第１の長手方向の折目線（Ｌ１）のまわりで第４の部分（Ｐ４）上に折り曲げ可能な、第４の部分（Ｐ４）の第１の末端部にある第５の補強フラップ（Ｒ５）、及び、第２の長手方向の折目線（Ｌ２）のあたりで第４の部分（Ｐ４）上に折り曲げ可能な、第４の部分（Ｐ４）の第２の末端部にある第６の補強フラップ（Ｒ６）とを備える段ボールブランク（Ｃ）のような、段ボールブランク（Ｃ）をその出口で提供することが可能である。
【課題を解決するための手段】
【００２５】
挙げられた目的は、請求項１に記載の切断ステーションによって得られる。
【００２６】
本発明はまた、ファンフォールドで収納された段ボールの連続ストリップから始まり、前述に記載されている段ボールブランクを得て、段ボールブランクから得たボックスの内部で物品の梱包を実行するのに必要な動作のすべてを実行するための機械を提供する目的がある。
【００２７】
本発明の目的は、非常に素早くかつ効率的に物品の梱包を完了するために必要なすべて動作を実行することが可能な機械を提供することであり、１時間あたりに梱包される物品の数に関して高い生産性を保証することを目的として、１時間あたり最大１０００個もの物品が梱包される。
【００２８】
この目的は、請求項１４に記載の、及び、請求項１に記載の切断ステーションを備える、序文にて記載されたような、段ボールブランクから得られる段ボール箱の内部に物品を包み込むための機械によって達成される。
【００２９】
本発明の、段ボールの連続ストリップからなる段ボールシート、及び段ボールシートから得られる段ボール箱の内部に物品を梱包する機械における、横の切り込みを行うための切断ステーションに関する好ましい実施形態の特徴が、添付の図表によって以下に記載されている。
【図面の簡単な説明】
【００３０】
【図１】本明細書の序文に記載された斜視図において、本出願人及び上記で引用したイタリア特許出願の目的によって設計された段ボール梱包材を例示し、段ボールブランクは、本発明の切断機の出口で製造され、切断ステーションを備える本発明の機械は、段ボールブランクから得られる段ボール箱に物品を梱包するために、連続した作業装置で処理することが可能である。
【図１Ａ】それぞれの斜視図によって、物品を梱包し、内部に物品を備える閉じた段ボール箱を得ることを可能にするような、図１の段ボールブランクについての可能な折り曲げ工程を例示する。
【図１Ｂ】それぞれの斜視図によって、物品を梱包し、内部に物品を備える閉じた段ボール箱を得ることを可能にするような、図１の段ボールブランクについての可能な折り曲げ工程を例示する。
【図１Ｃ】それぞれの斜視図によって、物品を梱包し、内部に物品を備える閉じた段ボール箱を得ることを可能にするような、図１の段ボールブランクについての可能な折り曲げ工程を例示する。
【図１Ｄ】それぞれの斜視図によって、物品を梱包し、内部に物品を備える閉じた段ボール箱を得ることを可能にするような、図１の段ボールブランクについての可能な折り曲げ工程を例示する。
【図１Ｅ】それぞれの斜視図によって、物品を梱包し、内部に物品を備える閉じた段ボール箱を得ることを可能にするような、図１の段ボールブランクについての可能な折り曲げ工程を例示する。
【図１Ｆ】それぞれの斜視図によって、物品を梱包し、内部に物品を備える閉じた段ボール箱を得ることを可能にするような、図１の段ボールブランクについての可能な折り曲げ工程を例示する。
【図２Ａ】本発明の段ボールシートから得られた段ボール箱の内部に物品を包み込む機械の配置を上方から模式図で例示する。
【図２Ｂ】図２の機械を側面図で例示する。
【図２Ｃ】図１に示す第１の段ボールブランクを得て、そして、段ボールブランクを物品のまわりで折り曲げて、その内部で梱包され閉じられた物品と共に閉じた段ボール箱を得るための、本発明の梱包機械が、ファンフォールドで構成される段ボールの連続ストリップから切断された段ボールシートから開始して、実施するいくつかの主な作業についての例示的実施形態に関して、略図で外形を連続的に例示する。
【図２Ｄ】本発明の機械の動作順に関して、斜視図で外形を連続して、まさしく略図で例示する。
【図３Ａ】段ボールシートの２つの側部領域（ＳＬ１、ＳＬ２）の横の切り込みを得るための本発明の切断ステーションを、模式的な斜視図で例示する。
【図３Ｂ】本発明の切断ステーションに対する入口に設けられている段ボールシートの各２つの側部領域（ＳＬ１、ＳＬ２）において、４つの横の切り込みを得るための切断ステーションの作業順を、模式的な斜視図で例示する。
【図３Ｃ】本発明の切断ステーションに対する入口に設けられている段ボールシートの各２つの側部領域（ＳＬ１、ＳＬ２）において、４つの横の切り込みを得るための切断ステーションの作業順を、模式的な斜視図で例示する。
【図３Ｄ】本発明の切断ステーションに対する入口に設けられている段ボールシートの各２つの側部領域（ＳＬ１、ＳＬ２）において、４つの横の切り込みを得るための切断ステーションの作業順を、模式的な斜視図で例示する。
【図３Ｅ】本発明の切断ステーションの一部の重要な細部を、模式的な斜視図で、例示する。
【図３Ｆ】本発明の切断ステーションの一部の重要な構成要素を、模式的な斜視図で例示する。
【図３Ｇ】より明らかに他の細部を示すために抜き出された他の構成要素を備えた異なる角度からの別の斜視図によって、図３Ｆの一部の構成要素を例示する。
【図３Ｈ】本発明の切断ステーションの一部の主要で重要な構成要素を、正面図で例示する。
【発明を実施するための形態】
【００３１】
添付の図面の数字に関しては、（Ｓ２）は、本発明の段ボールシートに横の切り込みを得るための切断ステーションを意味し、その一方で、参照番号（１００）は、切断ステーション（Ｓ２）を備え、完全な状態で段ボールシートから得られる段ボール箱の内部に物品を梱包するための機械を意味する。
【００３２】
本発明の切断ステーション（Ｓ２）は、前述で述べたとおり、段ボールシートの横の切り込みを行うように設計されており、特に、それは、段ボールシートにある４つの横の折目線に４つの横の切り込みを行うように設計されている（各横の折り曲げ線での切断）。
【００３３】
詳細には、切断ステーション（Ｓ２）は、段ボールシート（Ｆ）を受け入れるための入口（ＩＮ）、出口で段ボールブランクに横の切り込みを与えるための出口（ＯＵＴ）、及びコンベヤ（４）、例えば、前進方向（Ｖ）に従って入口（ＩＮ）から出口（ＯＵＴ）まで段ボールシート（Ｆ）を搬送するために、入口（ＩＮ）から出口（ＯＵＴ）まで延在するコンベヤベルトを備える。
【００３４】
切断ステーション（Ｓ２）は、コンベヤ（４）に対して、及びコンベヤ（４）の前進方向（Ｖ）に対して、横方向にかつ垂直に配置され相対する２つの横の端部（Ｂ１、Ｂ２）、並びに、コンベヤ（４）に対して平行の、したがって、コンベヤ（４）の前進方向（Ｖ）に対して平行の長手方向端部（ＢＬ）を与えるような方向で入り口（ＩＮ）に供給される段ボールシート（Ｆ）をその入り口（ＩＮ）で受け入れることが可能である。
【００３５】
切断ステーション（Ｓ２）は、段ボールシート（Ｆ）の長手方向端部（ＢＬ）に対して並びにコンベヤ（４）及び４つの横の折目線（Ｔ１、Ｔ２、Ｔ３、Ｔ４）の前進方向（Ｖ）に対して平行の、段ボールシート（Ｆ）の横の端部（Ｂ１、Ｂ２）に対して平行の、並びに、前進方向（Ｖ）に対して横の及び垂直な２つの長手方向の折目線（Ｌ１、Ｌ２）を備える段ボールシート（Ｆ）をその入り口（ＩＮ）で受け入れる（例えば図３を参照）。
【００３６】
２つの長手方向折目線（Ｌ１；Ｌ２）は、段ボールシート（Ｆ）の第１の横の端部（Ｂ１）から第２の横の端部（Ｂ２）まで、及び、段ボールシート（Ｆ）から得られる段ボール箱に梱包されるような物品の底辺の長さ（Ｌ）に相当する互いから同等の間隔で互いに平行である。
【００３７】
４つの横の折目線（Ｔ１、Ｔ２、Ｔ３、Ｔ４）は、段ボールシート（Ｆ）の一方の長手方向端部（ＢＬ）から他方の長手方向端部（ＢＬ）まで互いに平行であり、特に、物品の底辺の幅、物品の上部表面の幅（Ｌ＊）、及び物品の側面の高さ（Ｈ）に基づいて、包み込まれる物品の有効寸法に応じて、互いから間隔を置いている。
【００３８】
特に、コンベヤ（４）の前進方向（Ｖ）に対して上流側端部である段ボールシート（Ｆ）の第１の横の端部（Ｂ１）から始まり：
第１の横の折目線（Ｔ１）は、段ボールシート（Ｆ）の第１の横の端部（Ｂ１）から物品の第１の側部側面の高さ（Ｈ）に相当するある間隔をおいている；
第２の横の折目線（Ｔ２）は、第１の折目線（Ｔ１）から梱包される物品の底辺の幅（ｌ）に相当するある間隔をおいている；
第３の横の折目線（Ｔ３）は、第２の横の折目線（Ｔ２）から物品の第２の側面の高さ（Ｈ）に相当するある間隔をおき、第１の側面と平行して反対側にある；
第４の横の折目線（Ｔ４）は、第３の横の折目線（Ｔ３）から梱包される物品の上部表面の幅（Ｌ＊）に相当するある間隔をおいている。
【００３９】
したがって、切断ステーション（Ｓ２）がその入り口（ＩＮ）で受け入れる段ボールシート（Ｆ）は、２つの長手方向折目線（Ｌ１、Ｌ２）との間に中央領域（ＳＣ）、及び２つの長手方向折目線（Ｌ１、Ｌ２）の外に２つの側部領域（ＳＬ１、ＳＬ２）を有することになり、中央領域（ＳＣ）においては、段ボールシート（Ｆ）は、４つの横の折目線（Ｔ１、Ｔ２、Ｔ３、Ｔ４）によって画定される５つの部分（Ｐ１、Ｐ２、Ｐ３、Ｐ４、Ｐ５）を備え、特に、（再度図３Ｂを参照）：
第１の横の折目線（Ｔ１）と第２の横の折目線（Ｔ２）との間にある第１の部分（Ｐ１）と；
段ボールシート（Ｆ）の第１の横の端部（Ｂ１）と第１の横の折目線（Ｔ１）との間にあり、第１の部分（Ｐ１）に隣接して、第１の横の折目線（Ｔ１）を用いてちょうつがいのように留められる第２の部分（Ｐ２）と；
第２の横の折目線（Ｔ２）と第３の横の折目線（Ｔ３）との間にあり、第１の部分（Ｐ１）に隣接して、第２の横の折目線（Ｔ２）を用いてそこへちょうつがいのように留められる第３の部分（Ｐ３）と；
第３の横の折目線（Ｔ３）と第４の横の折目線（Ｔ４）との間にあり、第３の部分（Ｐ３）に隣接して、第３の横の折目線（Ｔ３）を用いてそこへちょうつがいのように留められる第４の部分（Ｐ４）と；
第４の横の折目線（Ｔ４）と段ボールシート（Ｆ）の第２の横の端部（Ｂ２）との間にある第５の部分（Ｐ５）とを備える。
【００４０】
コンベヤ（４）は、段ボールシート（Ｆ）が、その上に配置され、その中央領域（ＳＣ）の少なくとも一部、及び、コンベヤ（４）の２つの端の向こう側へ横に突き出している２つの側部領域（ＳＬ１、ＳＬ２）と共にあるように予め配置される。
【００４１】
本発明の切断ステーション（Ｓ２）は、コンベヤ（４）の各２つの端の側面によって、第１の切断グループ（４１）及び第２の切断グループ（４２）を備え、それは、段ボールシート（Ｆ）の２つの側部領域（ＳＬ１、ＳＬ２）の相対する側部領域に横の切り込みを得るために予め配置され、第１の切断グループ（４１）は、コンベヤ（４）の前進方向（Ｖ）に対して第２の切断グループ（４２）の下流に配置されている。
【００４２】
したがって、実際には、本発明の切断ステーション（Ｓ２）は、コンベヤの両端に対して２つからなる４つの切断グループを備える。以下では、コンベヤの反対側にあるもう一方の２つの切断グループの構造及び機能は同一であるとして、コンベヤの同じ側面に位置している２つの切断グループのみが記載されている。
【００４３】
第１の切断グループ（４１）及び第２の切断グループ（４２）は、コンベヤ（４）に対して垂直及び横方向（Ｖ１）に、同時に交互に並進することが可能であるように、したがって、両方ともコンベヤ（４）に接近又は間隔を置くことが可能であるようにコンベヤ（４）の端の側面によって予め配置され、そのため、それらが位置付けられることができて、段ボールシート（Ｆ）のそれぞれの側部領域（ＳＬ１、ＳＬ２）で、及び、それより上に停止することができ、その上に横の切り込みを得ることが可能であるように、コンベヤ（４）に配置される。
【００４４】
これは、段ボールシート（Ｆ）の有効寸法に基づいて、すなわち、２つの側部領域（ＳＬ１、ＳＬ２）の有効寸法（幅）に基づいて、横の切り込みが行われることになる段ボールシートの相対する側部領域で及びそれより上に２つの切断グループを効果的に位置付けることを可能にする。
【００４５】
更に、第２の切断グループ（４２）（コンベヤ（４）の前進方向（Ｖ）に対して第１の切断グループ（４１）の群の上流）は、第２の切断グループ（４２）が、第１の切断グループ（４１）に接近することができるか又は間隔を置くことができるといった方法で、コンベヤ（４）に対する平行方向（Ｖ２）において交互に、第１の切断グループ（４１）に対して並進し得るように予め配置される。
【００４６】
この細部は、切断ステーション（Ｓ２）が段ボールシート（Ｆ）にある横の折目線（Ｔ１、Ｔ２、Ｔ３、Ｔ４）の有効な相互の位置及び間隔、すなわち、対応する４つの横の切り込み（Ｉ１、Ｉ２、Ｉ３、１４）が行われることになる段ボールシート（Ｆ）の２つの側部領域（ＳＬ１、ＳＬ２）上の４つの横の折目線（Ｔ１、Ｔ２、Ｔ３、Ｔ４）の有効な相互の位置及び間隔に調整されることを可能にする。
【００４７】
本発明の切断ステーション（Ｓ２）の機能は、以下の通りである。
【００４８】
コンベヤ（４）は、一旦、コンベヤ（４）の前進方向（Ｖ）に対して、第１の横の折目線（Ｔ１）が上流側に配置され、第４の横の折目線（Ｔ４）が下流側を配置される状態で、ステーション（Ｓ２）の入り口（ＩＮ）にて段ボールシート（Ｆ）を受け入れるならば、第４の横の折目線（Ｔ４）が、第１の切断グループ（４１）の下に位置する第１の位置（Ｚ１）にそれを停止させるまで、前進方向（Ｖ）にしたがって段ボールシート（Ｆ）を前進させることが可能である（図３Ｂを参照）。
【００４９】
２つの側部領域（ＳＬ１、ＳＬ２）の有効寸法を考慮し基礎として、特にその有効幅は、２つの切断グループ（４１、４２）が、それらがコンベヤ（４）に接近するか又は遠ざかるように、方向（Ｖ１）に沿って、コンベヤ（４）に垂直に並進することができ、このように、切り込みが実行され相対する側部領域（ＳＬ１、ＳＬ２）より上、及び、その場の位置に停止し位置付けられる。
【００５０】
さらに、段ボールシート（Ｆ）の有効寸法及び横の折目線（Ｔ１、Ｔ２、Ｔ３、Ｔ４）の有効位置を基礎として、第２の切断グループ（４２）が第３の横の折目線（Ｔ３）を越えない場合、第２の切断グループ（４２）は、コンベヤ（４）の前進方向（Ｖ）と平行して、方向（Ｖ２）に沿って、第１の切断グループ（４１）に対して並進し、段ボールシート（Ｆ）にある第３の横の折目線（Ｔ３）の有効位置より上にそれを位置付けるように、それを第１の切断グループ（４１）に接近するか又は遠ざける。
【００５１】
一旦これらの調整が行われると、必要であれば、このように、２つの切断グループ（４１、４２）は、段ボールシート（Ｆ）の相対する側部領域（ＳＬ１、ＳＬ２）に対応する切り込みを得るために作動し、特に：第１の切断グループ（４１）は、中央領域（ＳＣ）を区切っているそれぞれの長手方向折目線（Ｌ１、Ｌ２）まで、段ボールシート（Ｆ）の長手方向端部（ＢＬ）上の第４の横の折目線（Ｔ４）で、相対する側部領域（ＳＬ１、ＳＬ２）における切り込み（Ｉ４）を得て、一方で、第２の切断グループ（４２）は、中央領域（ＳＣ）を区切っているそれぞれの長手方向折目線（Ｌ１、Ｌ２）まで、段ボールシート（Ｆ）の長手方向端部（ＢＬ）上の第３の横の折目線（Ｔ３）で、相対する側部領域（ＳＬ１、ＳＬ２）における切り込み（Ｉ３）を得る（図３Ｃ参照）。
【００５２】
一旦これら２つの切り込みが行われると、コンベヤ（４）は、前進方向（Ｖ）において段ボールシート（Ｆ）を進ませるために、それを第２の横の折目線（Ｔ２）が第１の切断グループ（４１）の下に位置付けられる第２の位置（Ｚ２）（図３Ｄ参照）に停止させるまで作動する。
【００５３】
第２の切断グループ（４２）が第１の横の折目線（Ｔ１）を越えない場合、第２の切断グループ（４２）は、コンベヤ（４）の前進方向（Ｖ）と平行して、方向（Ｖ２）に沿って、第１の切断グループ（４１）に対して並進し、段ボールシート（Ｆ）にある第１の横の折目線（Ｔ１）の有効位置より上にそれを位置付けるように、それを第１の切断グループ（４１）に接近するか又は遠ざける。
【００５４】
一旦この調整が行われると、必要であれば、その次に、２つの切断グループ（４１、４２）は、段ボールシート（Ｆ）の相対する側部領域（ＳＬ１、ＳＬ２）に対応する切り込みを得るために作動すし、特に：第１の切断グループ（４１）は、中央領域（ＳＣ）を区切っているそれぞれの長手方向折目線（Ｌ１、Ｌ２）まで、段ボールシート（Ｆ）の長手方向端部（ＢＬ）上の第２の横の折目線（Ｔ２）で、相対する側部領域（ＳＬ１、ＳＬ２）における切り込み（Ｉ２）を得て、一方で、第２の切断グループ（４２）は、中央領域（ＳＣ）を区切っているそれぞれの長手方向折目線（Ｌ１、Ｌ２）まで、段ボールシート（Ｆ）の長手方向端部（ＢＬ）上の第１の横の折目線（Ｔ１）で、相対する側部領域（ＳＬ１、ＳＬ２）における切り込み（Ｉ１）を得る。 
【００５５】
このような方法で、段ボールシート（Ｆ）の各２つの側部領域（ＳＬ１、ＳＬ２）では、４つの横の切り込み（Ｉ１、Ｉ２、Ｉ３、Ｉ４）が、４つの横の折目線（Ｔ１、Ｔ２、Ｔ３、Ｔ４）で行われる（図３Ｄ参照）（すなわち各横の折目線での切り込み）。
【００５６】
このように、本発明の切断ステーション（Ｓ２）は、その（図３Ｄ）出口（ＯＵＴ）で、梱包のために利用可能であり、段ボールブランクによって得られる段ボール箱の内部に物品を梱包する、序文に記載され図１に例示されたものに全く同様の段ボールブランク（Ｃ）を備え、すなわち、その２つの側部領域（ＳＬ１、ＳＬ２）に段ボールブランクを備え：
段ボールブランク（Ｃ）の第１の横の端部（Ｂ１）と第１の横の折目線（Ｔ１）で作られる横の切り込み（Ｉ１）との間で：第２の部分（Ｐ２）の第１の末端部にある第１の補強フラップ（Ｒ１）は、第１の長手方向折目線（Ｌ１）のあたりで第２の部分（Ｐ２）上に折り曲げ可能であり、−第２の部分（Ｐ２）の第２の末端部にある第２の補強フラップ（Ｒ２）は、第１の補強フラップ（Ｒ１）に少なくとも部分的に重ね合わせるように第２の長手方向折目線（Ｌ２）のあたりで第２の部分（Ｐ２）上に折り曲げ可能であり：その上に折り曲げられ、少なくとも部分的に重ね合わせられる第１（Ｒ１）及び第２の補強フラップ（Ｒ２）備える第２の部分（Ｐ２）は、梱包される物品の第１の側部側面を覆うための第１の横の折目線（Ｔ１）のあたりで折り曲げ可能である第１の側部閉鎖壁（Ｃ１）を構成する（例えば図１Ａ、１Ｂ又は図２Ｃ、２Ｄの外形の順序を参照）；
第２の横の折目線（Ｔ２）で作られる横の切り込み（Ｉ２）と第３の横の折目線（Ｔ３）で作られる横の切り込み（Ｉ３）との間で：第３の部分（Ｐ３）の第１の末端部にある第３の補強フラップ（Ｒ３）は、第１の長手方向折目線（Ｌ１）のあたりで第３の部分（Ｐ３）上に折り曲げ可能であり、第３の部分（Ｐ３）の第２の末端部にある第４の補強フラップ（Ｒ４）は、第３の補強フラップ（Ｒ３）に少なくとも部分的に重ね合わせるように、第２の長手方向折目線（Ｌ２）のあたりで第３の部分（Ｐ３）上に折り曲げ可能であり：その上に折り重なり少なくとも部分的に重ね合わせた第３（Ｒ３）及び第４の（Ｒ４）の補強フラップを備える第３の部分（Ｐ３）は、第１の側面の反対側に、梱包される物品の第２の側部側面を覆うために、第２の横の折目線（Ｔ２）のあたりで折り曲げ可能な第２の側部閉鎖壁（Ｃ２）を構成する（例えば図１Ｂ、１Ｃ又は図２Ｃ、２Ｄの外形の順序を参照）；
第１の横の折目線（Ｔ１）で作られる第１の横の切り込み（Ｉ１）と第２の横の折目線（Ｔ２）で作られる横の切り込み（Ｉ２）との間で、第１の部分（Ｐ１）の第１の末端部にある第１の側部包囲フラップ（Ａ１）は、梱包される物品の第３の側部側面を覆って包囲するために、第１の長手方向折目線（Ｌ１）のあたりで折り曲げ可能であり、第１の部分（Ｐ１）の第２の末端部にある第２の側部包囲フラップ（Ａ２）は、第３の側面の反対側で、梱包される物品の第４の側面を覆って包囲するために、第２の長手方向折目線（Ｌ２）のあたりで折り曲げ可能である（図１Ａ、１Ｂ又は図２Ｃ、２Ｄの外形の順序を参照）；
第３の横の折目線（Ｔ３）で作られる横の切り込み（Ｉ３）と第４の横の折目線（Ｔ４）で作られる横の切り込み（Ｉ４）との間で、第４の部分（Ｐ４）の第１の末端部にある第５の補強フラップ（Ｒ５）は、第１の長手方向折目線（Ｌ１）のあたりで第４の部分（Ｐ４）上に折り曲げ可能であり、第４の部分（Ｐ４）の第２の末端部にある第６の補強フラップ（Ｒ６）は、第５の補強フラップ（Ｒ５）に少なくとも部分的に重ね合わせるように、第２の長手方向折目線（Ｌ２）のあたりで第４の部分（Ｐ４）上に折り曲げ可能であり：その上に折り重なって、少なくとも部分的に重ね合わせた第５（Ｒ５）及び第６の（Ｒ６）補強フラップを備える第４の部分（Ｐ４）は、一旦、第２の側部閉鎖壁（Ｃ２）が、第２の側部側面を覆うために第２の横の折目線（Ｔ２）のあたりで折り曲げられるならば、梱包される物品の上部表面を覆うために、第３の横の折目線（Ｔ３）のあたりで折り曲げ可能である上部閉鎖壁（ＰＳ）を構成する（図１Ａ、１Ｆ、又は図２Ｃ、２Ｄの外形の順序を参照）；
第４の横の折目線（Ｔ４）と第２の横の端部（Ｂ２）との間で、タブ（ＡＣ）は、段ボール箱を閉じて／開くためのタブを構成する。
【００５７】
本発明によって提案された切断ステーション（Ｓ２）の他の有利な及び好適な特徴が、以下に記載されている。
【００５８】
切断ステーション（Ｓ２）は、コンベヤ（４）と平行に配置され、順に作動可能な軸（４０）を含む第１の切断グループ（４１）及び第２の切断グループ（４２）の作動手段（４００）を備え、第１の切断グループ（４１）は、互いに１８０°の状態であり、コンベヤ（４）に対して垂直かつ横に配置されるような方法で、軸（４０）に取り付けられる一対の切り込み用刃（４１１、４１２）を備え、次に、第２の切断グループ（４２）は、互いに１８０°の状態で軸（４０）に取り付けられ、また、コンベヤ（４）に対して垂直かつ横に配置される一対の切り込み用刃（４２１、４２２）を備える（図３Ｅ参照）。
【００５９】
第１の切断グループ（４１）の一対の刃（４１１、４１２）及び第２の切断グループ（４２）の一対の刃（４２１、４２２）は、同じ角度方向を有するように共通軸（４０）に取り付けられ、そのため、段ボールシートの側部領域に、横の切り込みを得るための２つの切断グループの刃を作動させるために、軸（４０）が順に作動する場合、２つの切断グループの一対の刃の中で刃が段ボールシートの側部領域に同時に到達する。
【００６０】
前述で定められた通り配置される第１の切断グループの一対の刃及び第２の切断グループの一対の刃は、全体的に螺旋様の形状を有する。
【００６１】
この特殊な配置のため、切断ステーション（Ｓ２）は、段ボールシートの側部領域に切り込みを非常に素早く実行し、それぞれの軸を１８０°回転した時点で、一度に２つの横の切り込みが得られる。
【００６２】
それゆえに、段ボールシートの各２つの側部領域の４つの切り込みを得て仕上げるために、前述に記載されているように２つ同時に、軸（４０）の完全なる回転を１回のみ実行することで十分である。
【００６３】
第１の切断グループ（４１）が第１のフレーム（４５）によって支えられ、その一方で、第２の切断グループ（４２）が第２のフレーム（４６）によって支えられ；切断ステーション（Ｓ２）は、コンベヤ（４）に対して横及び垂直となるように配置される第１の摺動ガイド（４５０）、並びに第１の摺動ガイド（４５０）と平行し、ゆえに、コンベヤ（４）に対して横及び垂直に配置される第２の摺動ガイド（４６０）を備える。
【００６４】
第１のフレーム（４５）は第１の摺動ガイド（４５０）に摺動可能に取り付けられ、例えば、第１のフレーム（４５）は第１の摺動ガイド（４５０）に摺動可能に連結される第１の可動部（４５１）に取り付けられる。その一方で、例えば第２のフレーム（４６）が第２の摺動ガイド（４６０）に摺動可能に取り付けられ、例えば、第２のフレーム（４６）は第２の摺動ガイド（４６０）に摺動可能に連結される第２の可動部（図中で詳細に見ることはできない）に取り付けられる。
【００６５】
さらに、切断ステーション（Ｓ２）は、第１の摺動ガイド（４５０）に対して、第１の摺動ガイド（４５０）に沿った可動部（４５１）の摺動によって、第１のフレーム（４５）を選択的に並進させ、コンベヤ（４）によって運ばれる段ボールシートの側部領域の実際の位置及び寸法に第１の切断グループ（４１）の位置を合わせるために、このように、それらをコンベヤ（４）に接近する又は遠ざけるような方法で第１の摺動ガイド（４５０）に対して第１の切断グループ（４１）を交互に並進させるように構成され、予め配置される第１の移動手段（４７）を備える。
【００６６】
第１の切断グループ（４１）及び第２の切断グループ（４２）が同じ共通軸（４０）に取り付けられるように、第１の移動手段（４７）によって第１の切断グループ（４１）にもたらされる並進は、第２の摺動ガイド（４５０）に沿った第２の可動部の摺動によって、第２の摺動ガイド（４６０）に対して第２のフレーム（４６）の摺動による第２の切断グループ（４２）の並進も画定する。
【００６７】
さらに、切断ステーション（Ｓ２）は、コンベヤ（４）と平行して、したがって、第１の摺動ガイド（４５０）及び第２の摺動ガイド（４６０）と横及び垂直にその代わりに配置される第３の摺動ガイド（４７０）を備える。
【００６８】
第２の摺動ガイド（４６０）は、それに対して、第２の切断グループ（４２）が、それをコンベヤ（４）に近づくか又は遠ざけるように摺動を実行させることができ、第３の摺動ガイド（４７０）に連結されて、摺動が可能であるように予め配置され、したがって、第２の切断グループ（４２）が第１の切断グループ（４１）に対する並進を可能にするように第３の摺動ガイド（４７０）に対して並進させられ、段ボールシートの側部領域にある２つの隣接する横の折目線との間の位置及び間隔を調整するために、それを第１の切断グループ（４１）に近づけるか又は遠ざける。
【００６９】
この点に関しては、切断ステーション（Ｓ２）は、第３の摺動ガイド（４７０）に対して第２の摺動ガイド（４６０）を移動して、摺動させるように予め配置される第２の移動手段（４８）を備える。
【００７０】
例えば、第２の摺動ガイド（４６０）の先端部分で予め配置される第３の可動部（４７１）が、第３の摺動ガイド（４７０）に摺動可能に連結される。
【００７１】
さらに、２つの切断グループ（４１、４２）からなる作動手段（４００）は、順に軸（４０）を作動させるためのモータ（４９）を備えており、その軸（４０）上に、各２つの切断グループ（４１、４２）の２つの対の刃（４１１、４１２）（４２１、４２２）が取り付けられ、モータ（４９）は、第１の摺動ガイド（４５０）及び第２の摺動ガイド（４６０）と平行に、したがって、コンベヤ（４）と横及び垂直になるように、予め配置される第４の摺動ガイド（４９２）に摺動可能に取り付けられる第４の可動部（４９１）によって支えられる、相対するフレーム（４９０）に取り付けられる。
【００７２】
このような方法で、第１の移動手段（４７）が、第１の摺動ガイド（４５０）に対して第１のフレーム（４５）を移動する場合、コンベヤ（４）に第１の切断グループ（４１）及び第２の切断グループ（４２）を接近させるか又は遠ざけるために、モータ（４９）は、２つの切断グループ（４１、４２）を作動させる役割を果たし、また、同時にかつ同じ方法でコンベヤ（４）に接近するか又は遠ざかり、第４の摺動ガイド（４９２）に沿った第４の可動部（４９１）の摺動によって、第４の摺動ガイド（４９２）に沿って取り付けられるフレーム（４９０）の摺動に続く。
【００７３】
第１の移動手段（４７）は、相対する滑車にループ状に巻いているベルト（４７５）を備え、少なくともベルト（４７５）を作動させるためのその駆動滑車（４７６）（図３Ｆ参照）は：特に、ベルト（４７５）がコンベヤ（４）と横に及び垂直に、すなわち、コンベヤ（４）の前進方向（Ｖ）に配置されるように、滑車は配置される。
【００７４】
第１のフレーム（４５）は、第１の切断グループ（４１）を支え、クランプ（４７７）によってベルト（４７５）の分岐部、例えばベルト（４７５）の上部分岐部に拘束されている。
【００７５】
このような方法で、駆動滑車（４７６）は、一方又はもう一方の回転方向に、順に作動するとき、ベルト（４７５）の上部分岐部は、コンベヤ（４）に向かう方向に、又は、コンベヤ（４）から離れる方向に、コンベヤ（４）に対して垂直に移動し：したがって、第１のフレーム（４５）、それから、第１の切断グループ（４１）、同様に第２のフレーム（４６）及び第２の切断グループ（４２）は、段ボールシート（Ｆ）の側部領域（ＳＬ１、ＳＬ２）の幅にその位置を調整するように、上記で挙げた方向（Ｖ１）に沿って、コンベヤ（４）に近づけるか又は遠ざかることができる。
【００７６】
切断ステーション（Ｓ２）は、都合がいいことにフレーム（４５’）のようにコンベヤ（４）の下で横方向に延在する単一のベルト（４７５）を備え、それは、コンベヤ（４）の反対側にある対応する第１の切断グループ（４１’）を支え、また、相対するクランプ（４７９）によって、ベルト（４７５）の分岐部に、特にベルト（４７５）の下部分岐部に拘束されることもできる。 
【００７７】
このような方法で、単一のベルト（４７５）を作動させると共に、同時に、コンベヤの両側にある切断グループを、コンベヤにある段ボールシートに又はから、近づく又は遠ざけることが可能である（例えば図３Ｇ及び３Ｈを参照）。
【００７８】
次に、第２の移動手段（４８）は、相対する滑車にループ状に巻いているベルト（４８１）を備え、少なくともその駆動滑車（４８２）は：ベルト（４８１）がコンベヤ（４）の下に及びそこと平行に、すなわち、その前進方向（Ｖ）に配置されるように、滑車が配置される。
【００７９】
プレート（４８２）には、支柱（４８３）が固定され、ベルト（４８１）の分岐部、例えば下部分岐部に拘束される。
【００８０】
第１のブラケット（４８４）は、支柱（４８３）に予め配置され、そのブラケット（４８４）は、第２の摺動ガイド（４６０）より下方に固定される（支柱（４８３）及び第１のブラケット（４８４）を例示するために、第２の摺動ガイド（４６０）が省略された図３Ｇを参照）。
【００８１】
このような方法で、ベルト（４８１）の作動は、摺動ガイド（４７０）に沿った第３の可動部（４７１）の摺動を介して、前述の方向（Ｖ２）に従って第２の切断グループ（４２）を第１の切断グループ（４１）に近づけるか又は遠ざけるために、コンベヤ（４）によって運ばれる段ボールシート（Ｆ）にある横の折目線の有効位置及び相互の間隔を基準として、その位置及び相互の間隔を調整するように、第３の摺動ガイド（４７０）に対する第２の摺動ガイド（４６０）の移動を決定する。
【００８２】
支柱（４８３）は、都合がよいことに、コンベヤ（４）の反対側にある対応する第２の切断グループ（４２’）の摺動ガイド（４６０’）中で下方にも位置付けられるような、拡張部及び長さを有し、そのため、第２のブラケット（４８６）によって摺動ガイド（４６０’）にも、支柱（４８３）を拘束することができる。
【００８３】
このような方法で、単一のベルト（４８１）を作動させると共に、同時に、第２の切断グループをコンベヤの両側にある、相対する第２の切断グループに又はから、近づく又は遠ざけることが可能である。
【００８４】
最後に、切断ステーション（Ｓ２）は、コンベヤ（４）の両側にある各２つの切断グループ（４１、４２）に、２つの切断グループ（４１、４２）の切り込み用刃（４１１、４１２、４２１、４２２）が通過する溝を有する刃のカウンタブロック（４９）を備え、そして、それは、コンベヤ（４）にある段ボールシート（Ｆ）の相対する側部領域（ＳＬ１、ＳＬ２）の下に直ちに存在するように配置される。
【００８５】
前述で示したように、図２Ａ及び図２Ｂにおいて、上及び端からの相対図では、本発明の段ボールシートから得られ、前述に記載されている切断ステーション（Ｓ２）を備えている段ボール箱の内部に物品を梱包するための機械（１００）のレイアウトが図示される。
【００８６】
図２Ｃ及び図２Ｄは、外形を連続で、梱包機械（１００）が、段ボールの連続ストリップから、切り込まれた段ボールシートを得ることから始まって実行する各種動作、梱包するための段ボールブランクを得るような段ボールシートの処理法、及び、物品まわりの梱包のために段ボールブランクを包み、その内部に梱包された物品を備えた閉じた段ボール箱を得るための動作に関して略図で例示する。
【００８７】
特に、図２Ｃは、一連の外形によって、本発明の機械による一部の主な動作工程を例示し、図２Ｄは、機械（１００）が、段ボールの連続ストリップより切り込まれた段ボールシートから始まり、段ボール箱の内部に物品を梱包するために実行する全動作工程の完全な連続した順序を例示する一方で、その動作は、切り込まれた段ボールシートである図１に例示するもののような段ボールブランク（Ｃ）から得て始まること、及び、物品を梱包して、段ボール箱の内部に物品を閉じ込めるように、段ボールブランクを物品のまわりに折り重ねることを含む。
【００８８】
図２Ｃ及び２Ｄにおける一連の外形に示す動作順は、異なる形状及び寸法からなる２つの物品の梱包に関して例示され、したがって、２つの事例において、得られた段ボールブランク及び最終的なボックスは、異なる形状及び寸法を有する。
【００８９】
これは、本発明の機械（１００）が、物品の寸法と独立して相対する段ボール箱の内部に物品を梱包して、閉じ込めることが可能な方法を示すためでもあり、すなわち、機械（１００）は、物品の有効寸法を基準として梱包するための段ボールを得て、その結果、ブランクは、物品のまわりで折りたたまれ、ボックスの内部に梱包され、包まれた物品を備える、相対するボックスを得ることができる。 
【００９０】
機械（１００）は：
−段ボールの連続ストリップ（Ｓ）は、ファンフォールド（ＳＦ）を形成するために、それ自体の上にベローズ式に折りたたまれて、予め配置される貯蔵部（Ｍ）と；
−区分化ステーション（Ｓ１）が、貯蔵部（Ｍ）の下流側にあり、段ボールシート（Ｆ）を得るために、ファンフォールド（ＳＦ）から解かれた段ボールの連続ストリップ（Ｓ）が供給されて、前進方向（ｗ）に進み、切断され、そして、同時に横の折目線（Ｔ４）が、段ボールの連続ストリップ（Ｓ）上の切り口と平行に得られる、段ボールの連続ストリップ（Ｓ）からなる段ボールシート（Ｆ）の区分化ステーション（Ｓ１）と；
−折目線形成ステーション（Ｓ１＊）であって、区分化ステーション（Ｓ１）の下流側にあり、その中へ、区分化ステーション（Ｓ１）から来る切り込まれた段ボールシート（Ｆ）が供給され、その上で、段ボールシート（Ｆ）は、段ボールシートの中央領域（ＳＣ）及び２つの側部領域（ＳＬ１、ＳＬ２）を特定するための２つの長手方向の折目線（Ｌ１、Ｌ２）；及び、中央領域（ＳＣ）の区分化ステーション（Ｓ１）にてすでに得られる折目線（Ｔ４）と共に、上記の５つの部分（Ｐ１、Ｐ２、Ｐ３、Ｐ４、Ｐ５）を特定するための３つの横の折目線（Ｔ１、Ｔ２、Ｔ３）が得られ、そこにおいて、２つの側部領域（ＳＬ１、ＳＬ２）の段ボールシートの一部に、一対の長手方向の折り曲げ線（ａ、ｂ）（ｃ、ｄ）が、第１の部分（Ｐ１）の側面で作られ、それは、２つの横の折り曲げフラップ（Ａ１、Ａ２）の第１（ａ１）、第2（ａ２）、第３（ａ３）、及び第４（ａ４）の折り曲げタブを特定し、そこから、段ボール箱の第３（Ｃ３）及び第４の（Ｃ４）側部閉鎖壁が得られる折目線形成ステーション（Ｓ１＊）とを備える。
【００９１】
折目線形成ステーション（Ｓ１＊）では、長手方向の折目線（Ｌ１、Ｌ２）及び横の折目線（Ｔ１、Ｔ２、Ｔ３）が、梱包される物品の有効寸法の役割をするものとして、特に、物品（幅Ｌ、長さＩ）の底面、及び物品の側面の高さ（Ｈ）の寸法の役割をするものとして得られる。
【００９２】
特に、例えば、２つの長手方向の折目線（Ｌ１、Ｌ２）は、物品の底面の長さ（Ｌ）に等しい相互の間隔で作られ、第１の横の折目線（Ｔ１）は、物品の第１の側面の高さ（Ｈ）に相当する段ボールシートの第１の横の端部（Ｂ１）（折目線形成ステーションへの供給方向に対して上流側端部）からある間隔をおいて作られ、第２の横の折目線（Ｔ２）は、物品の底面の幅（ｌ）を基準として、第１の横の折目線（Ｔ１）からある間隔をおいて作られ、第３の横の折目線（Ｔ３）は、物品の第２の側面の高さ（Ｈ）に相当する第２の折目線（Ｔ２）からある間隔をおいて作られ、第１の側面の反対側に、及び第４の横の折目線（Ｔ４）からある間隔をおいて、折目線（Ｔ４）に相当するものが、区分化ステーション（Ｓ１）ですでに得られ、物品の上面の幅（Ｌ＊）に相当する。
【００９３】
段ボールの連続ストリップ（Ｓ）からなる段ボールシート（Ｆ）の区分化ステーション（Ｓ１）は：ファンフォールド（Ｆ）から解かれた段ボールの連続ストリップ（Ｓ）を静止状態で受け入れることができるように予め配置されるコンベア水平面（１）と、段ボールの連続ストリップ（Ｓ）をコンベア水平面（１）に沿って前進方向（ｗ）に進ませて、その切断を可能にするために段ボールの連続ストリップ（Ｓ）を停止させるための搬送手段（２）と、段ボールの連続ストリップ（Ｓ）から段ボールシート（Ｆ）を分割して、同時に切り口付近の折目線（Ｔ４）を得るために、コンベア水平面（１）より上に予め配置される分割群（３）（段ボールシートの第４の折目線（Ｔ４）を構成することになる）とを備える。
【００９４】
折目線形成ステーション（Ｓ１＊）は：
段ボールシート（Ｆ）の中央領域（ＳＣ）及び２つの側部領域（ＳＬ１、ＳＬ２）（例えば図２Ｄの左から始まっている第３の外形を参照）を特定するために、梱包される物品の底面の長さ（Ｌ）に相当する間隔によって互いから遠ざかっている、前進方向と平行する及び段ボールシート（Ｆ）の長手方向端部（ＢＬ）と平行する２つの長手方向の折目線（Ｌ１、Ｌ２）を、段ボールシート（Ｆ）上に得るために予め配置した第１の折目線形成手段（５１）と；
中央領域（ＳＣ）において、互いと平行し、特定するために間隔を置いている３つの横の折目線（Ｔ１、Ｔ２、Ｔ３）、中央領域（ＳＣ）において、第４の折目線（Ｔ４）（区分化ステーション（Ｓ１）で得られる折目線（Ｔ４））と共に、以下の方法で上述の５つの部分（Ｐ１、Ｐ２、Ｐ３、Ｐ４、Ｐ５）（図１及び図２Ｄの左から始まる第四の外形を参照）を得るために予め配置される第２の折目線形成手段（５２）とを備える。
【００９５】
第１の部分（Ｐ１）は、第１の横の折目線（Ｔ１）と第２の横の折目線（Ｔ２）との間に、梱包される物品の底面に相当する寸法を有し；
第２の部分（Ｐ２）は、段ボールシート（Ｆ）の第１の横の端部（Ｂ１）と第１の横の折目線（Ｔ１）との間に、物品の第１の側面に相当する寸法を有し；
第３の部分（Ｐ３）は、第１の部分（Ｐ１）に隣接して、第２の横の折目線（Ｔ２）と第３の横の折目線（Ｔ３）との間で、第１の側面の反対側に、物品の第２の側面に相当する寸法を有し；
第４の部分（Ｐ４）は、第３の折目線（Ｔ３）と第４の折目線（Ｔ４）（前述のように、区分化ステーション（Ｓ１）で得られた折目線（Ｔ４））との間に、物品の上面に相当する寸法を有し；
第４の横の折目線（Ｔ４）を越えて段ボールシート材の細片によって、及び段ボールシート（Ｆ）の第２の横の端部（Ｂ２）まで構成される第５の部分（Ｐ５）は、段ボール箱の開閉タブ（ＡＣ）を構成する。
【００９６】
特に、第２の折目線形成手段（５２）が、段ボールシート（Ｆ）の長手方向の端部（ＢＬ）から他の長手方向の端部（ＢＬ）まで３つの横の折目線（Ｔ１、Ｔ２、Ｔ３）を得るために予め配置され、そのため、横の折目線は、段ボールシート（Ｆ）の２つの側部領域（ＳＬ１、ＳＬ２）もまた含む。
【００９７】
さらに、折目線形成ステーション（Ｓ１＊）は、２つの側部領域（ＳＬ１、ＳＬ２）の段ボールシートの一部に、第１の部分（Ｐ１）の側面で、２つの折目線（Ｌ１、Ｌ２）と平行する一対の長手方向の折り曲げ線（ａ、ｂ）、（ｃ、ｄ）を得て、第１の部分（Ｐ１）と同じ幅拡張部を有するように予め配置される第３の折目線形成手段（５３）を最後に備える。
【００９８】
さらに、機械は、折目線形成ステーション（Ｓ１＊）の下流側に、横の切断ステーション（Ｓ２）を備え、その中へ、段ボールシート（Ｆ）が、長手方向の折目線（Ｌ１、Ｌ２）及び４つの横の折目線（Ｔ１、Ｔ２、Ｔ３、Ｔ４）並びに一対の折り曲げ線（ａ、ｂ）、（ｃ、ｄ）を備えて前進方向に供給され、それに、ステーション（Ｓ２）は、各２つの側部領域（ＳＬ１、ＳＬ２）に対して、４つの横の切り込みを、段ボールシート上の４つの横の折目線（Ｔ１、Ｔ２、Ｔ３、Ｔ４）に、それぞれ相対する横の折目線に応じて作る。
【００９９】
切断ステーション（Ｓ２）は、詳細に前述にて記載されているように、本発明に従って作製される。
【０１００】
切断ステーション（Ｓ２）は、その出口で、前述のように、前述で示し図１に示したもののような梱包（Ｃ）用の段ボールブランクを提供することになり、すなわち、中央領域（ＳＣ）の５つの部分（Ｐ１、Ｐ２、Ｐ３、Ｐ４、Ｐ５）を備え、２つの側部領域（ＳＬ１、ＳＬ２）における２つの側部包囲フラップ（Ａ１、Ａ２）の６つの補強フラップ（Ｒ１、Ｒ２、Ｒ３、Ｒ４、Ｒ５、Ｒ６）を備えたものである（図２Ｃ及び２Ｄ参照）。
【０１０１】
この切断ステーション（Ｓ２）の下流側では、さらに、機械（１００）は、段ボールブランクから得られるボックスの内部に物品の梱包物を得るために必要な段ボールブランク（Ｃ）上で動作を実行するための連続した一連の作業ステーションを備える。
【０１０２】
詳細には、切断ステーション（Ｓ２）の下流側で、機械（１００）は：次々と連続した、第１の折りたたみ式のステーション（Ｓ３）、梱包される物品の供給ステーション（Ｓ３＊）、物品のまわりの段ボールブランクを部分的に折り曲げるための第２の折り曲げステーション（Ｓ４）、完全に包まれ、梱包されて、内部に物品を備えて閉じられた段ボール箱を得るような、物品のまわりの段ボールブランクを最終的に折り曲げるための閉鎖ステーション（Ｓ５）を備える（図２Ａ、２Ｂを参照）。
【０１０３】
第１の折り曲げステーション（Ｓ３）は、横の切断ステーション（Ｓ２）の下流側に配置されており、そこへ、段ボールブランク（Ｃ）が前進方向に供給されて、そこで、同時に、すなわち単一の動作で、段ボールブランク（Ｃ）が停止する：
第１（Ｒ１）及び第２の補強フラップ（Ｒ２）は、第１の側部閉鎖壁（Ｃ１）を得るために、中央領域（ＳＣ）の第２の部分（Ｐ２）上に、第１（Ｌ１）及び第２（Ｌ２）の長手方向の折目線に対して、折りたたまれる；第３（Ｒ３）及び第４の補強フラップ（Ｒ４）は、第２の側部閉鎖壁（Ｃ２）を得るために、中央領域（ＳＣ）の第３の部分（Ｐ３）上に、第１（Ｌ１）及び第２（Ｌ２）の長手方向の折目線に対して、折りたたまれる；
第５（Ｒ５）及び第６の補強フラップ（Ｒ６）は、上部閉鎖壁（ＰＳ）を得るために、中央領域（ＳＣ）の第４の部分（Ｐ４）上に、第１（Ｌ１）及び第２（Ｌ２）の長手方向の折目線に対して、折りたたまれる；
第１の側部包囲フラップ（Ａ１）の第１の折り曲げタブ（ａ１）は、中央領域（ＳＣ）の第１の部分（Ｐ１）の一部を重ね合わせて、補強した端部を形成して、第３の側部閉鎖壁（Ｃ３）を画定するために、第１の長手方向の折目線（Ｌ１）に対して、折りたたまれる；
第２の側部包囲フラップ（Ａ２）の第３の折り曲げタブ（ａ３）は、中央領域（ＳＣ）の第１の部分（Ｐ１）の一部を重ね合わせて、補強した端部を形成して、第４の側部閉鎖壁（Ｃ４）を画定するために、第２の長手方向の折目線（Ｌ２）に対して折りたたまれる（図１Ａ、図２Ｃの左から第５の外形、及び図２Ｄの左から第７の外形を参照）。
【０１０４】
上述のとおり、これらの折りたたみ動作は、段ボールブランクによって、互いに同時に、すなわち単一の動作で、したがって、非常に素早く、そして、即座に実行され、段ボールブランクにとっては本当に短い停止時間を必要とする。
【０１０５】
この点に関して、機械（１００）は、第１の折り曲げステーション（Ｓ３）に：第１の側部閉鎖壁（Ｃ１）を得るために、中央領域（ＳＣ）の第２の部分（Ｐ２）上に、第１（Ｌ１）及び第２（Ｌ２）の長手方向の折目線に対する第１（Ｒ１）及び第２の補強フラップ（Ｒ２）；第２の側部閉鎖壁（Ｃ２）を得るために、中央領域（ＳＣ）の第３の部分（Ｐ３）上に、第１（Ｌ１）及び第２（Ｌ２）の長手方向の折目線に対する第３（Ｒ３）及び第４の補強フラップ（Ｒ４）；上部閉鎖壁（ＰＳ）を得るために、中央領域（ＳＣ）の第４の部分（Ｐ４）上に、第１（Ｌ１）及び第２（Ｌ２）の長手方向の折目線に対する第５（Ｒ５）及び第６のフラップ（Ｒ６）；中央領域（ＳＣ）の第１の部分（Ｐ１）の一部を重ね合わせて、補強した端部を形成して、第３の側部閉鎖壁（Ｃ３）を画定するために、第１の長手方向の折目線（Ｌ１）に対する第１の側部包囲フラップ（Ａ１）の第１の折り曲げタブ（ａ１）、及び、中央領域（ＳＣ）の第１の部分（Ｐ１）の一部を重ね合わせて、補強した端部を形成して、第４の側部閉鎖壁（Ｃ４）を画定するために、第２の長手方向の折目線（Ｌ２）に対する第２の側部包囲フラップ（Ａ２）の第３の折り曲げタブ（ａ３）を同時に折りたたむための第１の折り曲げ手段（６３）を備える。
【０１０６】
第１の折り曲げステーション（Ｓ３）の出口で、段ボールブランク（Ｃ）は、そこで形成され、第１の側部閉鎖壁（Ｃ１）、第２の側部閉鎖壁（Ｃ２）、上部閉鎖壁（ＰＳ）を有しており、すべてのものは、折りたたまれて、互いに部分的に重ね合わせられる補強フラップのおかげで補強された構造を有して、それは、段ボールブランクの第１の部分（Ｐ１）と同じ平面にあり、その一方で、図２Ｃの左から第５の外形にて示し、さらに、図１Ｂに示す形状を有する段ボールブランクによって、第３（Ｃ３）及び第４（Ｃ４）の側部閉鎖壁は、第１の部分（Ｐ１）の上に第１の折り曲げタブ（ａ１）及び第３の折り曲げタブ（ａ３）を折りたたんだ後、中心部分（Ｐ１）に対してすでに部分的に直立させられ、折り曲げられる。
【０１０７】
この第１の折り曲げステーション（Ｓ３）の下流側では、機械（１００）は、梱包される物品の供給ステーション（Ｓ３＊）を備えており（図２Ａ、２Ｂ、及び２Ｄを参照）、梱包される物品は、第１の側面が第１の側部閉鎖壁（Ｃ１）の方へ向いている状態で、配置されて、段ボールブランク（Ｃ）の第１の部分（Ｐ１）に置かれ、第２の側面は、第１の反対側の第２の側部閉鎖壁（Ｃ２）の方へ向いており、第３の側面は、最初の２つに対して横の第３の側部閉鎖壁（Ｃ３）の方へ向いており、第４の側面は、第３の反対側の第４の側部閉鎖壁（Ｃ４）の方へ向いている。
【０１０８】
ここで、さらに、機械（１００）は、物品（Ｓ３＊）の投入ステーションの下流側に、第２の折り曲げステーション（Ｓ４）を備え、そこへ、第１の部分（Ｐ１）に物品を載せた段ボールブランク（Ｃ）が供給されて、前進方向に進む。
【０１０９】
第２の折り曲げステーション（Ｓ４）では、段ボールブランク（Ｃ）が、前進方向に進み、同時に、段ボールブランク（Ｃ）が進行中の間に（例えば、図２Ｃの第３の最終外形、又は図２Ｄの対の側面に位置した２つの第３の最終外形を参照）：
第３の側部閉鎖壁（Ｃ３）は、物品の第３の側面を覆うように、それを第１の折り曲げタブ（ａ１）と区分する折り曲げ線（ａ）に対して折り曲げられ、第２の折り曲げタブ（ａ２）は、それを物品の上面の一部に重ね合わせるように、それを第３の側部閉鎖壁（Ｃ３）と区分する折目線（ｂ）に対して折り曲げられ、
第４の側部閉鎖壁（Ｃ４）は、物品の第４の側面を覆うように、それを第３の折り曲げタブ（ａ３）と区分する折目線（ｃ）に対して折り曲げられ、第４の折り曲げタブ（ａ４）は、それを物品の上面の一部に重ね合わせるように、それを第４の側部閉鎖壁（Ｃ４）と区分する折目線（ｄ）に対して折り曲げられる。
【０１１０】
上述のとおり、これらの折り曲げ動作は、前進方向に沿って段ボールブランクを進ませることによって実行され、これらの折り曲げ動作が完了次第、機械（１００）は、物品の上面に折り曲げられるタブを折り曲げて、第２（ａ２）及び第４（ａ４）の上に接着剤を塗布する。
【０１１１】
機械（１００）は、さらにまた第２の折り曲げステーション（Ｓ４）において、一旦接着剤が塗布されるならば、段ボールブランクを停止させ（例えば、図２の最後から２番目の外形、又は図２Ｄの対の２つの最後から２番目の外形を参照）：
物品の第２の側面が覆われるときまで、それを物品が載せられる第１の部分（Ｐ１）に対して折り曲げる（例えば90°まで折り曲げる）ように、第２の横の折目線（Ｔ２）に対して、第２の側部閉鎖壁（Ｃ２）を回転させること、
そして、順番に、物品の上面が覆われるときまで、それを第２の側部閉鎖壁（Ｃ２）に対して折り曲げる（例えば、90°まで折り曲げる）ように、第３の横の折目線（Ｔ３）に対して、上部閉鎖壁（ＰＳ）を回転させることも含む。
【０１１２】
この目的のために、機械（１００）は、この第２の折り曲げステーション（Ｓ４）（図２Ａ、２ｂを参照）において：
第３の側部閉鎖壁（Ｃ３）を第１の折り曲げタブ（ａ１）と区別する折り曲げ線（ａ）に対して回し、物品の第３の側面が覆われるときまで、第３の側部閉鎖壁（Ｃ３）を折り曲げて、第２の折り曲げタブ（ａ２）を第３の側部閉鎖壁（Ｃ３）と区別する折目線（ｂ）に対して回し、物品の上面の一部の上にそれを重ね合わせるまで、第２の折り曲げタブ（ａ２）を折り曲げるための第２の折り曲げ手段（７１）；
第４の側部閉鎖壁（Ｃ４）を第３の折り曲げタブ（ａ３）と区別する折目線（ｃ）に対して回し、物品の第４の側面が覆われるときまで、第３の側部閉鎖壁（Ｃ４）を折り曲げて、第４の側部閉鎖壁（Ｃ４）を第４の側部閉鎖壁（Ｃ４）と区別する折目線（ｄ）に対して回し、物品の上面の一部の上にそれを重ね合わせるまで、第２の折り曲げタブ（ａ４）を折り曲げるための第３の折り曲げ手段（７２）；
物品の上面の上に折り曲げられた第２（ａ２）及び第４（ａ４）の折り曲げタブに接着剤を塗布するために予め配置された接着剤塗布手段（７３）；
一旦接着剤塗布手段（７４）が接着剤を塗布すると、段ボールブランク（Ｃ）を妨げて、停止させるための抑止手段（７４）；
及び、物品の第２の側面が覆われるときまで、それを物品が載せられる第１の部分（Ｐ１）に対して折り曲げるように、第２の横の折目線（Ｔ２）に対して、第２の側部閉鎖壁（Ｃ２）を回転させるための第４の折り曲げ手段（７５）、
並びに、物品の上面が覆われるときまで、それを第２の側部閉鎖壁（Ｃ２）に対して折り曲げるように、第２の側部閉鎖壁（Ｃ２）の折り曲げの後、第３の横の折目線（Ｔ３）に対して上部閉鎖壁（ＰＳ）を連続して回転させるための第５の折り曲げ手段（７６）を備えており、したがって、第２の折り曲げステーション（Ｓ４）の出口で、その内部に梱包された物品を備えて部分的に閉じた段ボール箱（ＳＣＡ）を提供する。
【０１１３】
この点で、物品は、折りたたまれた段ボールブランク及びほぼ終えた梱包ボックスにほぼ完全に包まれる。
【０１１４】
したがって、機械（１００）は、上述の方法で物品のまわりを部分的に折りたたまれる段ボールブランク（Ｃ）を動かし、段ボールブランクが停止する第２の折り曲げステーション（Ｓ４）の下流側にある最終閉鎖ステーション（Ｓ５）で、第１の側部閉鎖壁（Ｃ１）が、物品の第１の側面が覆われるように、第１の横の折目線（Ｔ１）に対して回されて、第１の部分（Ｐ１）に対して折り曲げられ（例えば90°まで）；第１の側部閉鎖壁（Ｃ１）の折り曲げと同時に、接着剤が、第１の側部閉鎖壁（Ｃ１）の上部に塗布される（図２Ｄの対の最後の２つの外形のうち左の外形を参照）。
【０１１５】
最後に、これらの動作の完了の後、機械（１００）は、最後の閉鎖ステーション（Ｓ５）で段ボールブランクをさらに静止し続ける間、第４の横の折目線（Ｔ４）に対して、閉鎖タブ（ＡＣ）を回転させ、第１の側部閉鎖壁（Ｃ１）の上部と反対方向に、上部壁（ＰＳ）に対して閉鎖タブ（ＡＣ）を折り曲げて（例えば90°まで）、それをその方向へ接着させ、その内部に梱包された物品を備える段ボール箱の閉鎖を完了させる（図２Ｃの最後の外形、及び図２Ｄの対の２つの更なる外形のうち右の外形を参照）。
【０１１６】
この目的のために、機械（１００）は、この最終閉鎖ステーション（Ｓ５）において（図２Ａ、２Ｂを参照）：
段ボール箱（ＳＣＡ）を停止させるために作動可能な停止手段（８）；
物品が載る第１の部分（Ｐ１）に対して折り曲げて、その結果、物品の第１の側面が覆われるように、第１の横の折目線（Ｔ１）に対して、第１の側部閉鎖壁（Ｃ１）を回転させるために、一旦ボックス（ＳＣＡ）を停止させると作動する予め配置した第６の折り曲げ手段（８１）；
機能的に第６の折り曲げ手段（８１）に付随し、第１の側部閉鎖壁（Ｃ１）が物品の第１の側面と反対側に第６の折り曲げ手段（８１）によって折り曲げられる間、第１の側部閉鎖壁（Ｃ１）の一部に接着剤を塗布するために予め配置される接着剤塗布器（８２）、
及び、第４の横の折目線（Ｔ４）に対して閉鎖タブ（ＡＣ）を回転させて、接着剤が塗布された第１の側部閉鎖壁（Ｃ１）の上部と反対側の上部壁（ＰＳ）に対して閉鎖タブ（ＡＣ）を折り曲げ、それをその方向に接着し、その内部に梱包される物品を備える段ボール箱（ＳＣＡ）の閉鎖を完了するために作動可能な第７の折り曲げ手段（８３）を備え、このように、最終閉鎖ステーション（Ｓ５）の出口で、その内部に梱包された物品を備えて完全に閉じた段ボール箱（ＳＣＡ）を提供する。
【０１１７】
続いて、機械（１００）は、梱包された物品を内部に備えて、最終閉鎖ステーション（Ｓ５）の出口に、段ボール箱を動かし、そのため、段ボール箱は収集され、注文の管理及び発送のためステーションの方向を指示することができる。
【０１１８】
さらに、機械（１００）は、切断ステーション（Ｓ２）と第１の折り曲げステーション（Ｓ３）との間に、切り落としステーション（Ｓ２＊）もまた備え、段ボールブランクが、補強フラップ（Ｒ１、Ｒ２、Ｒ３、Ｒ４、Ｒ５、Ｒ６）の幅を、第２（Ｐ２）、第３（Ｐ３）、及び第４の部分（Ｐ４）の有効寸法に適応させるように、長手方向の端部に沿って切り落としされることができ、そのため、補強フラップは、部分の上に効果的に折りたたまれることができ、２つの横の折り曲げフラップ（Ａ１、Ａ２）の幅を、物品の第３の側面及び第４の側面の有効寸法に適応させるように、少なくとも部分的に互いに重ね合わせられることができる。 
【０１１９】
機械（１００）は、さらにまた、切断ステーション（Ｓ２）と第１の折り曲げステーション（Ｓ３）との間の切り落としステーション（Ｓ２＊）の下流側で、少なくとも補強フラップ（Ｒ１、Ｒ２、Ｒ３、Ｒ４、Ｒ５、Ｒ６）、並びに／又は、第２の部分（Ｐ２）、第３の部分（Ｐ３）、及び第４の部分（Ｐ４）上に接着剤塗布手段を有する接着剤塗布ステーション（Ｓ２＊＊）もまた備えており、補強フラップ（Ｒ１、Ｒ２、Ｒ３、Ｒ４、Ｒ５、Ｒ６）は、第１の折り曲げステーション（Ｓ３）の後で折りたたまれなければならない。
【図１】
2019517396.tif 000003
【図１Ａ】
2019517396.tif 000004
【図１Ｂ】
2019517396.tif 000005
【図１Ｃ】
2019517396.tif 000006
【図１Ｄ】
2019517396.tif 000007
【図１Ｅ】
2019517396.tif 000008
【図１Ｆ】
2019517396.tif 000009
【図２Ａ】
2019517396.tif 000010
【図２Ｂ】
2019517396.tif 000011
【図２Ｃ】
2019517396.tif 000012
【図２Ｄ】
2019517396.tif 000013
【図３Ａ】
2019517396.tif 000014
【図３Ｂ】
2019517396.tif 000015
【図３Ｃ】
2019517396.tif 000016
【図３Ｄ】
2019517396.tif 000017
【図３Ｅ】
2019517396.tif 000018
【図３Ｆ】
2019517396.tif 000019
【図３Ｇ】
2019517396.tif 000020
【図３Ｈ】
2019517396.tif 000021
【国際調査報告】
2019517396.tif 000022
2019517396.tif 000023